(57)【要約】  光ディスク装置は、メインビームの収束点が所定の情報層上に収束するように制御するフォーカス制御部（１０７）と、メインビームの収束点が情報層上の所定のトラック又は所定のマーク列を走査するように制御するトラッキング制御部（１０３）と、情報層より反射されたサブビームを受光し、受光量に応じた信号を出力するサブビーム受光部（１１５）と、情報を記録する記録動作中に、サブビーム受光部（１１５）からの信号に基づき、メインビームの収束点が所定の情報層上から外れるフォーカス制御外れ状態、又は、メインビームの収束点が情報層上の所定のトラック又は所定のマーク列から外れるトラッキング制御外れ状態を検出するマイクロコンピュータ（１１１）とを備える。
2012164910.tif 000002
【特許請求の範囲】
【請求項１】
メインビームとサブビームとを情報記録媒体の情報層上に収束させることにより情報を記録する光情報装置であって、
前記メインビームの収束点が所定の情報層上に収束するように制御するフォーカス制御部と、
前記メインビームの収束点が情報層上の所定のトラック又は所定のマーク列を走査するように制御するトラッキング制御部と、
前記情報層より反射された前記サブビームを受光し、受光量に応じた信号を出力するサブビーム受光部と、
前記情報を記録する記録動作中に、前記サブビーム受光部からの信号に基づき、前記メインビームの収束点が所定の情報層上から外れるフォーカス制御外れ状態、又は、前記メインビームの収束点が情報層上の所定のトラック又は所定のマーク列から外れるトラッキング制御外れ状態を検出する制御外れ検出部とを備えることを特徴とする光情報装置。
【請求項２】
前記制御外れ検出部は、前記サブビーム受光部から出力される信号のレベルが、情報が記録されている記録済み領域からの反射光レベル又は情報が記録されていない未記録領域からの反射光レベルである場合に、前記フォーカス制御外れ状態又は前記トラッキング制御外れ状態であることを検出することを特徴とする請求項１に記載の光情報装置。
【請求項３】
前記サブビームは、複数のサブビームを含み、
前記サブビーム受光部は、前記情報層より反射された前記複数のサブビームをそれぞれ受光する複数のサブビーム受光部を含み、
前記制御外れ検出部は、前記複数のサブビーム受光部から出力される複数の信号のレベルの和が、情報が記録されている記録済み領域からの反射光レベル又は情報が記録されていない未記録領域からの反射光レベルである場合に、前記フォーカス制御外れ状態又は前記トラッキング制御外れ状態であることを検出することを特徴とする請求項１に記載の光情報装置。
【請求項４】
前記複数のサブビームは、前記メインビームがトラックの中心に収束している場合に、情報が記録されている記録済み領域側に収束する第１のサブビームと、前記メインビームがトラックの中心に収束している場合に、情報が記録されていない未記録領域側に収束する第２のサブビームとを含むことを特徴とする請求項３記載の光情報装置。
【請求項５】
前記制御外れ検出部は、前記サブビーム受光部からの信号のレベルが、情報が記録されている記録済み領域からの反射光レベルから情報が記録されていない未記録領域からの反射光レベルに変化した場合又は前記未記録領域からの反射光レベルから前記記録済み領域からの反射光レベルに変化した場合、前記フォーカス制御外れ状態又は前記トラッキング制御外れ状態であることを検出することを特徴とする請求項１に記載の光情報装置。
【請求項６】
前記制御外れ検出部は、前記サブビーム受光部から出力される信号の変調度が、情報が記録されている記録済み領域における変調度又は情報が記録されていない未記録領域における変調度である場合に、前記フォーカス制御外れ状態又は前記トラッキング制御外れ状態であることを検出することを特徴とする請求項１に記載の光情報装置。
【請求項７】
前記サブビームは、複数のサブビームを含み、
前記サブビーム受光部は、前記情報層より反射された前記複数のサブビームをそれぞれ受光する複数のサブビーム受光部を含み、
前記制御外れ検出部は、前記複数のサブビーム受光部から出力される複数の信号の変調度の和が、情報が記録されている記録済み領域における変調度又は情報が記録されていない未記録領域における変調度である場合に、前記フォーカス制御外れ状態又は前記トラッキング制御外れ状態であることを検出することを特徴とする請求項１に記載の光情報装置。
【請求項８】
前記複数のサブビームは、前記メインビームがトラックの中心に収束している場合に、情報が記録されている記録済み領域側に収束する第１のサブビームと、前記メインビームがトラックの中心に収束している場合に、情報が記録されていない未記録領域側に収束する第２のサブビームとを含むことを特徴とする請求項７記載の光情報装置。
【請求項９】
前記制御外れ検出部は、前記サブビーム受光部からの信号の変調度が、情報が記録されている記録済み領域における変調度から情報が記録されていない未記録領域における変調度に変化した場合又は前記未記録領域における変調度から前記記録済み領域における変調度に変化した場合、前記フォーカス制御外れ状態又は前記トラッキング制御外れ状態であることを検出することを特徴とする請求項１に記載の光情報装置。
【請求項１０】
前記サブビームは、複数のサブビームを含み、
前記サブビーム受光部は、前記情報層より反射された前記複数のサブビームをそれぞれ受光する複数のサブビーム受光部を含み、
前記制御外れ検出部は、前記複数のサブビーム受光部から出力される複数の信号のレベルの差分が所定レベル未満である場合に、前記フォーカス制御外れ状態又は前記トラッキング制御外れ状態であることを検出することを特徴とする請求項１に記載の光情報装置。
【請求項１１】
前記複数のサブビームは、前記メインビームがトラックの中心に収束している場合に、情報が記録されている記録済み領域側に収束する第１のサブビームと、前記メインビームがトラックの中心に収束している場合に、情報が記録されていない未記録領域側に収束する第２のサブビームとを含むことを特徴とする請求項１０記載の光情報装置。
【請求項１２】
メインビームとサブビームとを情報記録媒体の情報層上に収束させることにより情報を記録する光情報装置における制御外れ検出方法であって、
前記メインビームの収束点が所定の情報層上に収束するように制御するフォーカス制御ステップと、
前記メインビームの収束点が情報層上の所定のトラック又は所定のマーク列を走査するように制御するトラッキング制御ステップと、
前記情報層より反射された前記サブビームを受光し、受光量に応じた信号を出力するサブビーム受光ステップと、
前記情報を記録する記録動作中に、前記サブビーム受光ステップにおいて出力される信号に基づき、前記メインビームの収束点が所定の情報層上から外れるフォーカス制御外れ状態、又は、前記メインビームの収束点が情報層上の所定のトラック又は所定のマーク列から外れるトラッキング制御外れ状態を検出する制御外れ検出ステップとを含むことを特徴とする制御外れ検出方法。
【請求項１３】
互いに孤立した記録領域が列状に配置されたトラックを有する情報記録媒体に情報を記録する光情報装置であって、
前記記録領域に情報を記録するための記録部と、
前記記録領域の記録状態に応じて共鳴状態が変化する共鳴素子と、
前記記録部が所定のトラックを走査するように制御するトラッキング制御部と、
前記記録領域の記録状態に応じた、前記共鳴素子の共鳴状態の変化を検出し、検出した共鳴状態の変化に応じた信号を出力する共鳴状態検出部と、
前記情報を記録する記録動作中に、前記共鳴状態検出部からの信号に基づき、前記記録部が前記所定のトラックから外れるトラッキング制御外れ状態を検出する制御外れ検出部とを備えることを特徴とする光情報装置。
【請求項１４】
前記共鳴素子は、第１の共鳴素子と、前記第１の共鳴素子とは異なる位置に配置された第２の共鳴素子とを含み、
前記共鳴状態検出部は、前記記録領域の記録状態に応じた、前記第１の共鳴素子の共鳴状態の変化を検出し、検出した共鳴状態の変化に応じた信号を出力する第１の共鳴状態検出部と、前記記録領域の記録状態に応じた、前記第２の共鳴素子の共鳴状態の変化を検出し、検出した共鳴状態の変化に応じた信号を出力する第２の共鳴状態検出部とを含み、
前記制御外れ検出部は、前記第１の共鳴状態検出部から出力される信号のレベルと、前記第２の共鳴状態検出部から出力される信号のレベルとの差分が、所定レベル未満である場合に、前記トラッキング制御外れ状態であることを検出することを特徴とする請求項１３記載の光情報装置。
【請求項１５】
互いに孤立した記録領域が列状に配置されたトラックを有する情報記録媒体に情報を記録する光情報装置における制御外れ検出方法であって、
前記記録領域に情報を記録するための記録部が所定のトラックを走査するように制御するトラッキング制御ステップと、
前記記録領域の記録状態に応じて共鳴状態が変化する共鳴素子の共鳴状態の変化を検出し、検出した共鳴状態の変化に応じた信号を出力する共鳴状態検出ステップと、
前記情報を記録する記録動作中に、前記共鳴状態検出ステップにおいて出力される信号に基づき、前記記録部が前記所定のトラックから外れるトラッキング制御外れ状態を検出する制御外れ検出ステップとを含むことを特徴とする制御外れ検出方法。
【発明の詳細な説明】
【技術分野】
【０００１】
本発明は、レーザ等の光源を用いて情報記録媒体上に情報を記録する光情報装置及び当該光情報装置における制御外れ検出方法に関するものであり、特に、記録動作中の情報層上における光ビームスポット位置制御の制御外れ状態を検出する光情報装置及び制御外れ検出方法に関するものである。
【背景技術】
【０００２】
従来、ＣＤ、ＤＶＤ又はＢＤ（Ｂｌｕ−ｒａｙディスク）といった光ディスクは、映像信号及び音響信号の記録及び再生に広く利用されている。光ディスクに情報を記録する及び光ディスクから情報を再生する光ディスク装置において、光ディスクの情報層に書き込まれた情報を読み出す処理は、光ピックアップにより情報層上に収束された微小な光ビームスポットが微細なトラック又はマーク列を走査することにより行われる。この場合、光ディスクに書き込まれた情報を正確かつ連続的に読み出すには、光ビームスポットを光ディスクの任意の位置に追従させるサーボ技術が不可欠である。【０００３】
したがって、光ディスク装置では一般に、光ビームスポットと光ディスクの情報層との垂直方向（以降、フォーカス方向と称する）の位置ずれを検出するフォーカスエラー信号（以降、ＦＥ信号と称す）に基づいて、光ビームスポットを情報層に対してフォーカス方向に追従させるフォーカス制御が行われる。加えて、光ディスク装置では、光ビームスポットとトラックの中心又はマーク列の中心との半径方向（以降、トラッキング方向と称する）の位置ずれを検出するトラッキングエラー信号（以降、ＴＥ信号と称す）に基づいて、光ビームスポットをトラック又はマーク列に対してトラッキング方向に追従させるトラッキング制御が行われる。【０００４】
また、光ディスク装置の記録動作中において、記録用光ビームの光ビームスポットが所望の情報層から逸脱するフォーカス制御外れ（以降、フォーカス飛びと称する）、又は記録用光ビームの光ビームスポットが所望の半径位置から逸脱するトラッキング制御外れ（以降、トラック飛びと称する）を検出し記録動作を中断する光ディスク装置が提案されている（例えば、特許文献１参照）。これにより、誤って他の情報が破壊されることを防いでいる。【０００５】
このような光ディスク装置においては、記録動作中のＦＥ信号の大きさが所定の上側閾値又は所定の下側閾値を越えた場合にフォーカス飛びが発生したことが検出されて記録動作が中断される。同様にして、記録動作中のＴＥ信号の大きさが所定の上側閾値又は所定の下側閾値を越えた場合にトラック飛びが発生したことが検出されて記録動作が中断される。以上により、記録動作中のフォーカス飛び又はトラック飛びによって誤って他の情報が破壊されることを防ぐことができる。【０００６】
一方、近年、光ディスクのさらなる高密度化の要求に対して、情報層の数を増やすとともに、光ビームスポットの位置を制御するためのサーボ層と情報を記録するための情報層とを分離した光ディスクが提案されている（例えば、特許文献２参照）。このような高密度化された光ディスクに情報を記録又は再生する光ディスク装置においては、光ディスクに対し、サーボ用光ビームの光ビームスポットが、サーボ層上に集光され、記録再生用光ビームの光ビームスポットが、情報を記録又は再生する目的の情報層上に集光される。【０００７】
ここで、記録動作時は、サーボ層に集光したサーボ用光ビームの戻り光に基づいて生成されるサーボ層ＦＥ信号を用いてサーボ用光ビームの光ビームスポットのフォーカス制御が行われる。また、情報層に集光した記録用光ビームの戻り光に基づいて生成される情報層ＦＥ信号を用いて記録用光ビームの光ビームスポットのフォーカス制御が行われる。加えて、サーボ層に集光したサーボ用光ビームの戻り光に基づいて生成される１つのＴＥ信号を用いて、サーボ用光ビーム及び記録用光ビームの２つの光ビームスポットを同時に光ディスクのトラッキング方向に追従させるトラッキング制御が行われる。以上により、複数のサーボ層を設けることなく光ディスクの任意の位置に対して情報を記録することができる。
【先行技術文献】
【特許文献】
【０００８】
【特許文献１】特開平４−０１０２３３号公報
【特許文献２】特許第３１１０５３２号公報
【発明の概要】
【０００９】
本発明は、既に記録された情報が誤って破壊されたり、記録されるマーク列が不連続になったりすることを防ぐことができる光情報装置及び制御外れ検出方法を提供することを目的とするものである。
【００１０】
本発明の一局面に係る光情報装置は、メインビームとサブビームとを情報記録媒体の情報層上に収束させることにより情報を記録する光情報装置であって、前記メインビームの収束点が所定の情報層上に収束するように制御するフォーカス制御部と、前記メインビームの収束点が情報層上の所定のトラック又は所定のマーク列を走査するように制御するトラッキング制御部と、前記情報層より反射された前記サブビームを受光し、受光量に応じた信号を出力するサブビーム受光部と、前記情報を記録する記録動作中に、前記サブビーム受光部からの信号に基づき、前記メインビームの収束点が所定の情報層上から外れるフォーカス制御外れ状態、又は、前記メインビームの収束点が情報層上の所定のトラック又は所定のマーク列から外れるトラッキング制御外れ状態を検出する制御外れ検出部とを備える。
【００１１】
この構成によれば、フォーカス制御部は、メインビームの収束点が所定の情報層上に収束するように制御する。トラッキング制御部は、メインビームの収束点が情報層上の所定のトラック又は所定のマーク列を走査するように制御する。サブビーム受光部は、情報層より反射されたサブビームを受光し、受光量に応じた信号を出力する。制御外れ検出部は、情報を記録する記録動作中に、サブビーム受光部からの信号に基づき、メインビームの収束点が所定の情報層上から外れるフォーカス制御外れ状態、又は、メインビームの収束点が情報層上の所定のトラック又は所定のマーク列から外れるトラッキング制御外れ状態を検出する。
【００１２】
本発明によれば、フォーカス制御外れ状態又はトラッキング制御外れ状態が検出されるので、既に記録された情報が誤って破壊されたり、記録されるマーク列が不連続になったりすることを防ぐことができ、その結果、光情報装置の記録信頼性を向上させることができる。
【００１３】
本発明の目的、特徴及び利点は、以下の詳細な説明と添付図面とによって、より明白となる。
【図面の簡単な説明】
【００１４】
【図１】本発明の実施の形態１における光ディスク装置の構成を示すブロック図である。
【図２】本発明の実施の形態１における光ディスクの構成の一例を示す模式図である。
【図３】本発明の実施の形態１における光ディスクの情報層上に形成されるメインビームスポット、先行サブビームスポット及び後行サブビームスポットの照射位置の一例を示す模式図である。
【図４】図１に示す光ピックアップにおけるメインディテクタ及びサブビーム受光部の検出領域を示す平面図である。
【図５】図１に示すＦＥ演算部の構成を示すブロック図である。
【図６】図１に示すＳＳ演算部の構成を示すブロック図である。
【図７】（Ａ）は、フォーカス制御外れによって記録再生用光ビームが未記録領域のある情報層に収束した場合のサブビーム合成信号の変化を示した波形図であり、（Ｂ）は、フォーカス制御外れによって記録再生用光ビームが記録済み領域のある情報層に収束した場合のサブビーム合成信号の変化を示した波形図である。
【図８】（Ａ）は、制御外れによって記録再生用光ビームが未記録領域に移動した場合のＳＳａ信号又はＳＳｂ信号の変化を示した波形図であり、（Ｂ）は、制御外れによって記録再生用光ビームが記録済み領域に移動した場合のＳＳａ信号又はＳＳｂ信号の変化を示した波形図であり、（Ｃ）は、制御外れによって記録再生用光ビームが未記録領域又は記録済み領域に移動した場合のＳＳａ信号又はＳＳｂ信号の変調度の変化を示した波形図である。
【図９】本発明の実施の形態２における光ディスク装置の構成を示すブロック図である。
【図１０】本発明の実施の形態２における光ディスクの情報層上に形成されるメインビームスポット、先行サブビームスポット及び後行サブビームスポットの照射位置の一例を示す模式図である。
【図１１】図９に示すｄＳＳ演算部の構成を示すブロック図である。
【図１２】本発明の実施の形態２において、記録動作中に制御外れが発生した場合のサブビーム差分信号ｄＳＳの変化を示した波形図である。
【図１３】本実施の形態２の第１の変形例における光ディスクの情報層上に形成されるメインビームスポット、先行サブビームスポッ及び後行サブビームスポットの照射位置の一例を示す模式図である。
【図１４】本実施の形態２の第２の変形例における光ディスクの情報層上に形成されるメインビームスポット、先行サブビームスポット及び後行サブビームスポットの照射位置の一例を示す模式図である。
【図１５】本発明の実施の形態３における情報記録媒体の構成を示す図である。
【図１６】本発明の実施の形態３における記録装置の構成を示すブロック図である。
【図１７】本実施の形態３における散乱体と共鳴素子との配置位置の一例を示す模式図である。
【図１８】本発明の実施の形態３において、記録動作中にトラッキング制御外れが発生した場合の共鳴状態検出部からの信号の変化を示した波形図である。
【図１９】本実施の形態３の第１の変形例における散乱体と共鳴素子との配置位置の一例を示す模式図である。
【図２０】本実施の形態３の第２の変形例における散乱体と共鳴素子との配置位置の一例を示す模式図である。
【図２１】本実施の形態３の第３の変形例における散乱体と共鳴素子との配置位置の一例を示す模式図である。
【図２２】本発明の実施の形態４における記録装置の構成を示すブロック図である。
【図２３】本実施の形態４における散乱体、第１の共鳴素子及び第２の共鳴素子の配置位置の一例を示す模式図である。
【図２４】本発明の実施の形態４において、記録動作中にトラッキング制御外れが発生した場合の第１の共鳴状態検出部からの信号のレベルと第２の共鳴状態検出部からの信号のレベルとの差分の変化を示した波形図である。
【図２５】本実施の形態４の第１の変形例における散乱体と第１の共鳴素子と第２の共鳴素子との配置位置の一例を示す模式図である。
【図２６】本実施の形態４の第２の変形例における散乱体と第１の共鳴素子と第２の共鳴素子との配置位置の一例を示す模式図である。
【図２７】本実施の形態４の第３の変形例における散乱体と第１の共鳴素子と第２の共鳴素子との配置位置の一例を示す模式図である。
【発明を実施するための形態】
【００１５】
以下に、本発明の実施の形態について、図面を参照しながら説明する。なお、以下の実施の形態は、本発明を具体化した一例であって、本発明の技術的範囲を限定するものではない。
【００１６】
ここで、例えば、高密度化のために光ディスクの情報層の数を増やす場合、層数の増加に伴い互いに隣接する情報層同士の間隔は狭くなる。互いに隣接する情報層同士の間隔の狭小化に伴い、情報層からの戻り光に含まれる他層迷光成分が増加するため、戻り光から生成されるＦＥ信号の検出範囲が狭くなる。このとき、従来の光ディスク装置では、記録動作中における正常なフォーカス制御時の制御残差によるＦＥ信号レベルと、記録動作中におけるフォーカス飛び発生時のＦＥ信号レベルとを区別するための閾値の設定が困難となる。その結果、フォーカス飛びを正確に検出することができない。加えて、このような光ディスクにおいてフォーカス飛びが発生した場合、互いに隣接する情報層同士の間隔が狭いために、目標とする情報層に隣接する情報層にフォーカス制御が行われるおそれがある。
【００１７】
したがって、特に、互いに隣接する情報層同士の間隔が狭い光ディスクにおいては、記録動作中にフォーカス飛びが発生し、誤って目標とする情報層に隣接する情報層にフォーカス制御が行われたとしても、フォーカス飛びを検出して記録動作を中断することは困難である。そのため、既に記録された他の情報層の情報が誤って破壊されるおそれがある。
【００１８】
また、光ビームスポットの位置を制御するためのサーボ層と、情報が記録される情報層とが分離された光ディスクにおいては、情報層上に案内溝が存在しないことがある。この場合、ＴＥ信号が検出できないため、記録動作中にＴＥ信号によって記録用光ビームのトラック飛びを正確に検出できないおそれがある。したがって、記録動作中にトラック飛びが発生したとしても、当該トラック飛びを検出して記録動作を中断することができない。そのため、既に記録された情報が誤って破壊されたり、記録されたマーク列が不連続となるおそれがある。
【００１９】
上記の課題を解決する実施例として、下記の実施の形態１〜４を示す。
【００２０】
（実施の形態１）
図１は、本発明の実施の形態１における光ディスク装置の構成を示すブロック図である。光ディスク装置は、メインビームとサブビームとを光ディスクの情報層上に収束させることにより情報を記録する。
【００２１】
図２は、本発明の実施の形態１における光ディスク１０１の構成の一例を示す模式図である。図２において、紙面の左右方向がトラッキング方向である。図２に示すように、光ディスク１０１は、１つのサーボ層１０１ｓと、５つの情報層１０１ａ〜１０１ｅとを備える。サーボ層１０１ｓには、案内溝によりトラック１１６が形成されている。一方、情報層１０１ａ〜１０１ｅには、トラックは形成されていない。また、情報層１０１ａ〜１０１ｅは、それぞれ追記型の記録膜を有している。
【００２２】
図３は、本発明の実施の形態１における光ディスク１０１の情報層上に形成されるメインビームスポット１１２、先行サブビームスポット１１３ａ及び後行サブビームスポット１１３ｂの照射位置の一例を示す模式図である。
【００２３】
図３において、紙面の上から下へ向かう方向が光ディスク１０１の回転方向であり、紙面の左右方向がトラッキング方向であり、紙面の左方向が内周方向であり、紙面の右方向が外周方向である。図３において、破線は、サーボ層１０１ｓにおけるトラック中心に対応する半径位置を示し、一点鎖線は、隣接する２つのトラックの間の半径位置を示す。図３に示すように、先行サブビームスポット１１３ａの照射位置は、メインビームスポット１１２に対して０．５トラックだけ内周側に位置している。また、後行サブビームスポット１１３ｂの照射位置は、メインビームスポット１１２に対して０．５トラックだけ外周側に位置している。
【００２４】
なお、本実施の形態１では、光ディスク１０１の内周から外周に向かって情報が記録されるが、本発明は特にこれに限定されず、外周から内周に向かって情報が記録されてもよい。
【００２５】
また、先行サブビームは、メインビームがトラックの中心に収束している場合に、情報が記録されている記録済み領域側に収束している。後行サブビームは、メインビームがトラックの中心に収束している場合に、情報が記録されていない未記録領域側に収束している。
【００２６】
図１に示す光ディスク装置は、光ピックアップ１００、ＴＥ演算部１０２、トラッキング制御部１０３、トラッキング駆動部１０４、ＦＥ演算部１０６、フォーカス制御部１０７、フォーカス駆動部１０８、ＳＳ演算部１１０及びマイクロコンピュータ１１１を備える。
【００２７】
光ピックアップ１００は、少なくとも一つのサーボ層に対してサーボ用光ビームを集光照射し、複数の情報層に対して記録再生用光ビームを集光照射する。
【００２８】
光ピックアップ１００は、記録再生用光ビームを出射する記録再生用光源、サーボ用光ビームを出射するサーボ用光源、記録再生用光源によって出射された記録再生用光ビームを概ね平行光に変換する第１のコリメートレンズ、サーボ用光源によって出射されたサーボ用光ビームを概ね平行光に変換する第２のコリメートレンズ、記録再生用光ビームをメインビームとサブビームとに分離する回折素子、記録再生用光ビームを複数の情報層のうちの１つに集光させるとともに、サーボ用光ビームを少なくとも１つのサーボ層に集光させる対物レンズ、第１のコリメートレンズによって概ね平行光に変換された記録再生用光ビームの光軸と第２のコリメートレンズによって概ね平行光に変換されたサーボ用光ビームの光軸とを一致させ、記録再生用光ビーム及びサーボ用光ビームを対物レンズへ導くビームスプリッタ、対物レンズを光軸方向へ移動させ、記録再生用光ビームの焦点を情報層に移動させるとともに、対物レンズを光ディスク１０１の半径方向へ移動させ、メインビームの収束点を情報層上の所定のトラック又は所定のマーク列に追従させる対物レンズアクチュエータ、及び、第２のコリメートレンズを光軸方向へ移動させ、サーボ用光ビームの焦点をサーボ層に移動させるコリメートレンズアクチュエータを備える。
【００２９】
また、光ピックアップ１００は、メインディテクタ１１４、サブビーム受光部１１５及びサーボ用光ビーム受光部１１７をさらに備える。
【００３０】
メインディテクタ１１４は、情報層より反射されたメインビームを受光し、受光量に応じた信号を出力する。サブビーム受光部１１５は、情報層より反射されたサブビームを受光し、受光量に応じた信号を出力する。本実施の形態１では、サブビーム受光部１１５は、情報層より反射された２つのサブビームを受光し、それぞれの受光量に応じた２つの信号を出力する。サーボ用光ビーム受光部１１７は、サーボ層より反射されたサーボ用光ビームを受光し、受光量に応じた信号を出力する。
【００３１】
なお、光ピックアップ１００としては、例えば、特開２００５−３１７１８０号公報に示す記録再生装置が用いられる。
【００３２】
ＴＥ演算部１０２は、サーボ用光ビーム受光部１１７から出力された信号に基づいて、サーボ用光ビームのビームスポットとサーボ層１０１ｓのトラック中心とのトラッキング方向の位置ずれを示すトラッキングエラー信号ＴＥを演算する。
【００３３】
トラッキング制御部１０３は、ＴＥ演算部１０２によって演算されたトラッキングエラー信号ＴＥに基づいて、メインビームの収束点が情報層上の所定のトラック又は所定のマーク列を走査するように制御する。トラッキング制御部１０３は、ＴＥ演算部１０２によって演算されたトラッキングエラー信号ＴＥに所定の信号処理を施してトラッキング駆動信号を生成し、トラッキング駆動部１０４へ出力する。
【００３４】
トラッキング駆動部１０４は、トラッキング制御部１０３によって生成されたトラッキング駆動信号に基づいて、光ピックアップ１００の対物レンズアクチュエータを駆動する。対物レンズアクチュエータは、サーボ用光ビームのビームスポットと、記録再生用光ビームのメインビームスポットと、記録再生用光ビームの２つのサブビームスポットとを同時にトラッキング方向に移動させる。
【００３５】
ＦＥ演算部１０６は、メインディテクタ１１４から出力された信号に基づいて、メインビームスポットと情報層とのフォーカス方向の位置ずれを示すフォーカスエラー信号ＦＥを演算する。
【００３６】
フォーカス制御部１０７は、ＦＥ演算部１０６によって演算されたフォーカスエラー信号ＦＥに基づいて、メインビームの収束点が所定の情報層上に収束するように制御する。フォーカス制御部１０７は、ＦＥ演算部１０６によって演算されたフォーカスエラー信号ＦＥに所定の信号処理を施してフォーカス駆動信号を生成し、フォーカス駆動部１０８へ出力する。
【００３７】
フォーカス駆動部１０８は、フォーカス制御部１０７によって生成されたフォーカス駆動信号に基づいて、光ピックアップ１００の対物レンズアクチュエータを駆動する。対物レンズアクチュエータは、記録再生用光ビームのメインビームスポットと記録再生用光ビームの２つのサブビームスポットとをフォーカス方向に移動させる。
【００３８】
ＳＳ演算部１１０は、サブビーム受光部１１５から出力された２つの信号を合成することにより、サブビーム合成信号ＳＳを演算する。
【００３９】
マイクロコンピュータ１１１は、情報を記録する記録動作中に、サブビーム受光部１１５からの信号に基づき、メインビームの収束点が所定の情報層上から外れるフォーカス制御外れ状態、又は、メインビームの収束点が情報層上の所定のトラック又は所定のマーク列から外れるトラッキング制御外れ状態を検出する。マイクロコンピュータ１１１は、ＳＳ演算部１１０によって演算されたサブビーム合成信号ＳＳに基づいて、光ディスク装置の記録動作中において、記録再生用光ビームが制御外れ状態であるかを検出する。
【００４０】
マイクロコンピュータ１１１は、サブビーム受光部１１５からの信号のレベルが、情報が記録されている記録済み領域からの反射光レベル又は情報が記録されていない未記録領域からの反射光レベルである場合に、フォーカス制御外れ状態又はトラッキング制御外れ状態であることを検出する。
【００４１】
図４は、図１に示す光ピックアップ１００におけるメインディテクタ１１４及びサブビーム受光部１１５の検出領域を示す平面図である。図４において、紙面の上下方向が光ディスク１０１のトラッキング方向であり、紙面の左右方向がトラック長手方向である。
【００４２】
図４に示すように、メインディテクタ１１４は、４つの受光領域Ａ〜Ｄに分割されている。また、サブビーム受光部１１５は、第１のサブディテクタ１１５ａと、第２のサブディテクタ１１５ｂとを備える。第１のサブディテクタ１１５ａは、２つのサブビームのうちの先行サブビームの戻り光を受光する。第２のサブディテクタ１１５ｂは、２つのサブビームのうちの後行サブビームの戻り光を受光する。第１のサブディテクタ１１５ａは、トラッキング方向に２つの受光領域Ｅ，Ｆに分割されている。同様に、第２のサブディテクタ１１５ｂは、トラッキング方向に２つの受光領域Ｇ，Ｈに分割されている。
【００４３】
図５は、図１に示すＦＥ演算部１０６の構成を示すブロック図である。図６は、図１に示すＳＳ演算部１１０の構成を示すブロック図である。
【００４４】
ＦＥ演算部１０６は、加算器１０６ａと、加算器１０６ｂと、減算器１０６ｃとを備える。
【００４５】
ＳＳ演算部１１０は、加算器１１０ａと、加算器１１０ｂと、加算器１１０ｃとを備える。
【００４６】
なお、本実施の形態１において、光ディスク装置が光情報装置の一例に相当し、フォーカス制御部１０７及びフォーカス駆動部１０８がフォーカス制御部の一例に相当し、トラッキング制御部１０３及びトラッキング駆動部１０４がトラッキング制御部の一例に相当し、サブビーム受光部１１５がサブビーム受光部の一例に相当し、ＳＳ演算部１１０及びマイクロコンピュータ１１１が制御外れ検出部の一例に相当する。
【００４７】
以上のように構成された光ディスク装置の動作について説明する。
【００４８】
光ピックアップ１００は、サーボ用光ビームと記録再生用光ビームとを光ディスク１０１に照射する。記録再生用光源から出射された記録再生用光ビームは、光ピックアップ１００内において、回折格子等の光学素子によって、０次回折光である１つのメインビームと、±１次光である２つのサブビームとに分割される。１つのメインビームと２つのサブビームとからなる記録再生用光ビームは、例えば第１の情報層１０１ａ上に収束される。
【００４９】
図３に示すように、１つのメインビームは、第１の情報層１０１ａ上に１つのメインビームスポット１１２を形成し、２つのサブビームは、第１の情報層１０１ａ上に先行サブビームスポット１１３ａと後行サブビームスポット１１３ｂとを形成する。第１の情報層１０１ａ上に収束したメインビームは、第１の情報層１０１ａで反射され、光ピックアップ１００に入射する。光ピックアップ１００に入射したメインビームは、メインディテクタ１１４に入射する。
【００５０】
メインディテクタ１１４に入射したメインビームは、メインディテクタ１１４における各受光領域Ａ〜Ｄで電気信号ＭＡ〜ＭＤに変換され出力される。メインディテクタ１１４からの電気信号ＭＡ〜ＭＤは、ＦＥ演算部１０６に入力される。加算器１０６ａは、電気信号ＭＡ，ＭＣを加算し、ＦＥＰ信号として減算器１０６ｃへ出力する。加算器１０６ｂは、電気信号ＭＢ，ＭＤを加算し、ＦＥＮ信号として減算器１０６ｃへ出力する。ＦＥＰ信号とＦＥＮ信号とは減算器１０６ｃに入力される。
【００５１】
減算器１０６ｃは、ＦＥＰ信号からＦＥＮ信号を減算し、メインビームスポットと情報層Ａとのフォーカス方向の位置ずれを示すフォーカスエラー信号ＦＥとして出力する。フォーカスエラー信号ＦＥは、フォーカス制御部１０７に入力される。フォーカス制御部１０７は、例えばディジタルシグナルプロセッサ（以降、ＤＳＰと称する）などのディジタルフィルタで構成された位相補償回路及び低域補償回路を通過させることにより、フォーカス駆動信号を生成する。フォーカス駆動信号は、フォーカス駆動部１０８に入力される。
【００５２】
フォーカス駆動部１０８は、フォーカス駆動信号を増幅し、光ピックアップ１００に出力する。光ピックアップ１００の対物レンズアクチュエータは、増幅されたフォーカス駆動信号に基づいて対物レンズをフォーカス方向へ移動させ、記録再生用光ビームのメインビームスポットと２つのサブビームスポットとをフォーカス方向に移動させる。
【００５３】
以上の動作のように、フォーカスエラー信号ＦＥとフォーカス制御部１０７とによって、記録再生用光ビームのメインビームスポットが光ディスク１０１の第１の情報層１０１ａ上に正しく収束するように制御するフォーカス制御が実現される。
【００５４】
一方、サーボ用光源から出射されたサーボ用光ビームは、サーボ層１０１ｓ上に収束される。サーボ用光ビームのビームスポットは、サーボ用フォーカス制御部（図示しない）によって、光ディスク１０１のサーボ層１０１ｓ上に正しく収束するように制御される。例えば、サーボ用フォーカス制御部は、サーボ用光源によって出射されたサーボ用光ビームを概ね平行光に変換する第２のコリメートレンズを光軸方向へ移動させ、サーボ用光ビームの焦点をサーボ層１０１ｓに移動させる。
【００５５】
サーボ層１０１ｓ上に収束したサーボ用光ビームの反射光は、サーボ用光ビーム受光部１１７によって受光され、電気信号に変換され出力される。サーボ用光ビーム受光部１１７からの出力信号は、ＴＥ演算部１０２に入力される。ＴＥ演算部１０２は、入力された信号を演算し、サーボ用光ビームのビームスポットとサーボ層１０１ｓのトラック中心とのトラッキング方向の位置ずれを示すトラッキングエラー信号ＴＥとして出力する。トラッキングエラー信号ＴＥは、トラッキング制御部１０３に入力される。
【００５６】
トラッキング制御部１０３は、例えばＤＳＰなどのディジタルフィルタで構成された位相補償回路及び低域補償回路を通過させることにより、トラッキング駆動信号を生成する。トラッキング駆動信号は、トラッキング駆動部１０４に入力される。トラッキング駆動部１０４は、トラッキング駆動信号を増幅し、光ピックアップ１００に出力する。光ピックアップ１００の対物レンズアクチュエータは、増幅されたトラッキング駆動信号に基づいて対物レンズをトラッキング方向へ移動させ、サーボ用光ビームのビームスポットと、記録再生用光ビームのメインビームスポットと、記録再生用光ビームの２つのサブビームスポットとを同時にトラッキング方向に移動させる。
【００５７】
以上の動作のように、トラッキングエラー信号ＴＥとトラッキング制御部１０３とによって、サーボ用光ビームが光ディスク１０１のサーボ層１０１ｓ上のトラック中心に正しく収束するように制御されると同時に、記録再生用光ビームがトラックのない第１の情報層１０１ａ上においてサーボ層１０１ｓ上のトラック中心に対応する半径位置に正しく収束するように制御されるトラッキング制御が実現される。
【００５８】
さらに、第１の情報層１０１ａ上に収束した２つのサブビームは、第１の情報層１０１ａで反射され、光ピックアップ１００に入射する。光ピックアップ１００に入射した２つのサブビームは、それぞれ第１のサブディテクタ１１５ａと第２のサブディテクタ１１５ｂとに入射する。第１のサブディテクタ１１５ａに入射したサブビームは、第１のサブディテクタ１１５ａにおける各受光領域Ｅ，Ｆで電気信号ＳＥ，ＳＦに変換され出力される。第２のサブディテクタ１１５ｂに入射したサブビームは、第２のサブディテクタ１１５ｂにおける各受光領域Ｇ，Ｈで電気信号ＳＧ，ＳＨに変換され出力される。
【００５９】
第１のサブディテクタ１１５ａからの電気信号ＳＥ，ＳＦは、ＳＳ演算部１１０に入力される。加算器１１０ａは、電気信号ＳＥ，ＳＦを加算し、ＳＳａ信号として加算器１１０ｃへ出力する。第２のサブディテクタ１１５ｂからの電気信号ＳＧ，ＳＨは、ＳＳ演算部１１０に入力される。加算器１１０ｂは、電気信号ＳＧ，ＳＨを加算し、ＳＳｂ信号として加算器１１０ｃへ出力する。ＳＳａ信号とＳＳｂ信号とは加算器１１０ｃに入力される。
【００６０】
加算器１１０ｃは、ＳＳａ信号とＳＳｂ信号とを加算し、サブビーム合成信号ＳＳとして出力する。サブビーム合成信号ＳＳは、マイクロコンピュータ１１１に入力される。マイクロコンピュータ１１１は、入力されたサブビーム合成信号ＳＳの信号レベルに基づいて、光ディスク装置の記録動作中において、記録再生用光ビームが制御外れ状態であるかを検出する。
【００６１】
すなわち、マイクロコンピュータ１１１は、第１のサブディテクタ１１５ａから出力される信号のレベルと第２のサブディテクタ１１５ｂから出力される信号のレベルとの和が、情報が記録されている記録済み領域からの反射光レベル又は情報が記録されていない未記録領域からの反射光レベルである場合に、フォーカス制御外れ状態又はトラッキング制御外れ状態であることを検出する。
【００６２】
制御外れ状態であることが検出された場合、マイクロコンピュータ１１１は、記録動作を中断するための制御信号を光ピックアップ１００へ出力する。光ピックアップ１００は、マイクロコンピュータ１１１からの制御信号によって記録動作を中断する。これにより、光ディスク装置は記録動作を中断する。
【００６３】
以上の動作により、記録動作中に、フォーカス制御外れ状態又はトラッキング制御外れ状態が発生した場合、光ディスク装置は、マイクロコンピュータ（制御外れ検出部）１１１によりフォーカス制御外れ状態又はトラッキング制御外れ状態を検出し、記録動作を中断させることができる。
【００６４】
ここで、本実施の形態１におけるサブビーム合成信号ＳＳを用いた記録動作中の制御外れ検出方法について説明する。
【００６５】
図７（Ａ）及び図７（Ｂ）は、記録動作中に制御外れの一つであるフォーカス制御外れが発生し、記録再生用光ビームが目標の情報層とは異なる情報層に収束した場合のサブビーム合成信号ＳＳの変化を示した波形図である。ここで、図７（Ａ）は、フォーカス制御外れによって記録再生用光ビームが未記録領域のある情報層に収束した場合のサブビーム合成信号ＳＳの変化を示した波形図である。また、図７（Ｂ）は、フォーカス制御外れによって記録再生用光ビームが記録済み領域のある情報層に収束した場合のサブビーム合成信号ＳＳの変化を示した波形図である。このとき、光ディスク１０１は、情報が記録されると反射率が下がるＨｉｇｈ−ｔｏ−Ｌｏｗディスク（以降、ＨＴＬディスクと称す）であるとする。
【００６６】
追記型の情報層を持つ光ディスク１０１への正常な記録動作中においては、記録再生用光ビームは、常に記録済み領域と未記録録領域との境界である記録境界に位置する。このとき、図３に示すように、先行サブビームスポット１１３ａ及び後行サブビームスポット１１３ｂの照射位置においては、常に内周側にマーク列（記録済み領域）が存在し、外周側に未記録領域が存在する。したがって、先行サブビームスポット１１３ａ及び後行サブビームスポット１１３ｂからの反射光量の総和であるサブビーム合成信号ＳＳは、図７（Ａ）に示すように、ある一定の信号レベルＳＳ０となる。
【００６７】
一方、記録動作中に例えばフォーカス制御外れが発生し、記録再生用光ビームが目標の情報層とは異なる情報層に収束した場合、記録再生用光ビームは記録境界から外れる。そのため、異なる情報層における先行サブビームスポット１１３ａ及び後行サブビームスポット１１３ｂの照射位置は、前述した関係が成り立たない。
【００６８】
すなわち、記録再生用光ビームが収束した先の領域が未記録領域であれば、先行サブビームスポット１１３ａ及び後行サブビームスポット１１３ｂの照射位置はいずれも未記録領域である。そのため、先行サブビームスポット１１３ａ及び後行サブビームスポット１１３ｂからの反射光量の総和であるサブビーム合成信号ＳＳの信号レベルは、図７（Ａ）に示すように、信号レベルＳＳ０から信号レベルＳＳ１へ上昇する。
【００６９】
また、記録再生用光ビームが収束した先の領域が記録済み領域であれば、先行サブビームスポット１１３ａ及び後行サブビームスポット１１３ｂの照射位置はいずれも記録済み領域である。そのため、サブビーム合成信号ＳＳの信号レベルは、図７（Ｂ）に示すように、信号レベルＳＳ０から信号レベルＳＳ２へ下降する。
【００７０】
したがって、先行サブビームスポット１１３ａ及び後行サブビームスポット１１３ｂからの反射光量の総和であるサブビーム合成信号ＳＳの信号レベルは、記録動作中のフォーカス制御外れによって変化する。
【００７１】
本実施の形態１では、前記したサブビーム合成信号ＳＳの信号レベルの変化によって記録動作中のフォーカス制御外れを検出する。すなわち、マイクロコンピュータ１１１は、記録動作中にサブビーム合成信号ＳＳの信号レベルが正常動作時の信号レベルＳＳ０から信号レベルＳＳ１又は信号レベルＳＳ２へ変化したことを検出する。これにより、フォーカス制御外れを検出することが可能となる。
【００７２】
また、制御外れの一つであるトラッキング制御外れが発生した場合においても、記録再生用光ビームが移動した先の領域の状態に応じてサブビーム合成信号ＳＳの信号レベルが変化する。そのため、マイクロコンピュータ１１１は、フォーカス制御外れと同様にして、記録動作中にサブビーム合成信号ＳＳの信号レベルが正常動作時の信号レベルＳＳ０から信号レベルＳＳ１又は信号レベルＳＳ２へ変化したことを検出する。これにより、トラッキング制御外れを検出することが可能となる。
【００７３】
したがって、本実施の形態１においては、光ディスク装置は、サブビーム合成信号ＳＳを用いて記録動作中にフォーカス制御外れ又はトラッキング制御外れを正確に検出し、記録動作を中断することが可能となる。そのため、既に記録された情報が誤って破壊されたり、記録されたマーク列が不連続になったりすることを防ぐことが可能となる。その結果、光ディスク装置の記録信頼性の向上が実現できる。
【００７４】
なお、光ディスク装置は、情報が記録されていない未記録領域からの反射光レベルを示す信号レベルＳＳ１と、情報が記録されている記録済み領域からの反射光レベルを示す信号レベルＳＳ２とを予め記憶するメモリを備えてもよい。マイクロコンピュータ１１１は、メモリから信号レベルＳＳ１及び信号レベルＳＳ２を読み出し、読み出した信号レベルＳＳ１及び信号レベルＳＳ２とサブビーム受光部１１５からの信号のレベルとを比較してもよい。この場合、マイクロコンピュータ１１１は、サブビーム受光部１１５からの信号のレベルが、信号レベルＳＳ１又は信号レベルＳＳ２である場合に、フォーカス制御外れ状態又はトラッキング制御外れ状態であることを検出する。
【００７５】
以上のように、本実施の形態１の光ディスク装置は、主に下記の構成を有している。
【００７６】
すなわち、本実施の形態１の光ディスク装置は、メインビームとサブビームとを光ディスクの情報層上に収束させることにより情報を記録する光ディスク装置であって、メインビームの収束点が所定の情報層上に収束するように制御するフォーカス制御部と、メインビームの収束点が情報層上の所定のトラック又は所定のマーク列を走査するように制御するトラッキング制御部と、情報層より反射されたサブビームを受光し、受光量に応じた信号を出力するサブビーム受光部と、情報を記録する記録動作中に、サブビーム受光部からの信号に基づき、メインビームの収束点が所定の情報層上から外れるフォーカス制御外れ状態、又は、メインビームの収束点が情報層上の所定のトラック又は所定のマーク列から外れるトラッキング制御外れ状態を検出する制御外れ検出部とを備える。
【００７７】
以上の構成により、既に記録された情報が誤って破壊されたり、記録されたマーク列が不連続になったりすることを防ぐことが可能となる。その結果、光ディスク装置の記録信頼性の向上が実現できる。
【００７８】
さらに、本実施の形態１の光ディスク装置においては、制御外れ検出部は、サブビーム受光部からの信号のレベルが、情報が記録されている記録済み領域からの反射光レベル又は情報が記録されていない未記録領域からの反射光レベルである場合に、フォーカス制御外れ状態又はトラッキング制御外れ状態であることを検出しても良い。
【００７９】
なお、本実施の形態１においては、記録動作中の制御外れの検出に用いるサブビーム合成信号ＳＳは、ＳＳａ信号とＳＳｂ信号とを加算した結果、すなわち先行サブビームスポット１１３ａの反射光量と後行サブビームスポット１１３ｂの反射光量との和信号としているが、ＳＳａ信号及びＳＳｂ信号のいずれか一方のみを制御外れの検出に用いても同様の効果が得られる。
【００８０】
なお、本実施の形態１においては、サブビーム合成信号ＳＳの信号レベルの変化によって記録動作中の制御外れを検出する構成としているが、以下の構成としてもよい。すなわち、ＳＳａ信号及びはＳＳｂ信号のいずれか一方のみがマイクロコンピュータ１１１に入力され、マイクロコンピュータ１１１は、入力された信号の変調度の変化によって記録動作中の制御外れを検出してもよい。
【００８１】
また、本実施の形態１では、２つのサブビームを光ディスク１０１に収束させているが、本発明は特にこれに限定されず、１つのサブビームを光ディスク１０１に収束させても良い。光ディスク装置は、例えば、図３に示す先行サブビームスポット１１３ａ及び後行サブビームスポット１１３ｂのうちのいずれか一方のみを光ディスク１０１に形成してもよい。
【００８２】
すなわち、光ビームがメインビームと１つのサブビームとに分割され、１つのサブビームが、メインビームがトラックの中心に収束している場合に情報が記録されている記録済み領域側に収束する場合、マイクロコンピュータ１１１は、サブビーム受光部１１５からの信号のレベルが、記録済み領域からの反射光レベルから未記録領域からの反射光レベルに変化したとき、フォーカス制御外れ状態又はトラッキング制御外れ状態であることを検出する。
【００８３】
また、光ビームがメインビームと１つのサブビームとに分割され、１つのサブビームが、メインビームがトラックの中心に収束している場合に情報が記録されていない未記録領域側に収束する場合、マイクロコンピュータ１１１は、サブビーム受光部１１５からの信号のレベルが、未記録領域からの反射光レベルから記録済み領域からの反射光レベルに変化に変化したとき、フォーカス制御外れ状態又はトラッキング制御外れ状態であることを検出する。
【００８４】
さらに、光ビームがメインビームと１つのサブビームとに分割され、１つのサブビームが、メインビームがトラックの中心に収束している場合に情報が記録されていない未記録領域と情報が記録されている記録済み領域との境界上に収束する場合、マイクロコンピュータ１１１は、サブビーム受光部１１５からの信号のレベルが、未記録領域からの反射光レベル又は記録済み領域からの反射光レベルであるとき、フォーカス制御外れ状態又はトラッキング制御外れ状態であることを検出してもよい。
【００８５】
さらにまた、本実施の形態１では、３つ以上のサブビームを光ディスク１０１に収束させても良い。
【００８６】
ここで、図８（Ａ）、図８（Ｂ）及び図８（Ｃ）を用いて本実施の形態１の変形例における記録動作中の制御外れの検出について説明する。図８（Ａ）は、制御外れによって記録再生用光ビームが未記録領域に移動した場合のＳＳａ信号又はＳＳｂ信号の変化を示した波形図である。図８（Ｂ）は、制御外れによって記録再生用光ビームが記録済み領域に移動した場合のＳＳａ信号又はＳＳｂ信号の変化を示した波形図である。図８（Ｃ）は、制御外れによって記録再生用光ビームが未記録領域又は記録済み領域に移動した場合のＳＳａ信号又はＳＳｂ信号の変調度の変化を示した波形図である。
【００８７】
前記したように、正常な記録動作中、先行サブビームスポット１１３ａ及び後行サブビームスポット１１３ｂの照射位置においては、常に内周側にマーク列が存在し、外周側に未記録領域が存在する。したがって、反射光から生成されるＳＳａ信号又はＳＳｂ信号には内周側のマーク列による高周波成分が含まれる。そのため、正常に情報が記録されている場合の変調度は、図８（Ｃ）に示すように、ある一定の変調度ｍｏｄ０となる。
【００８８】
一方、記録動作中に制御外れが発生した場合、記録再生用光ビームは記録境界から外れる。そのため、先行サブビームスポット１１３ａ及び後行サブビームスポット１１３ｂの照射位置においては、前述した関係が成り立たない。すなわち、記録再生用光ビームが移動した先の領域が未記録領域であれば、先行サブビームスポット１１３ａ及び後行サブビームスポット１１３ｂの照射位置はいずれも同じ未記録領域である。この場合、未記録領域にはマーク列が存在しないため、ＳＳａ信号又はＳＳｂ信号には高周波成分が含まれず、ＳＳａ信号又はＳＳｂ信号の変調度は、図８（Ｃ）に示すように、変調度ｍｏｄ０から変調度ｍｏｄ１へ下降する。
【００８９】
また、記録再生用光ビームが移動した先の領域が記録済み領域であれば、先行サブビームスポット１１３ａ及び後行サブビームスポット１１３ｂの照射位置においては、常に内周側と外周側とにマーク列が存在する。この場合、ＳＳａ信号又はＳＳｂ信号には高周波成分が存在し、ＳＳａ信号又はＳＳｂ信号の変調度は、図８（Ｃ）に示すように、変調度ｍｏｄ０から変調度ｍｏｄ２へ上昇する。
【００９０】
したがって、先行サブビームスポット１１３ａからの反射光から生成されるＳＳａ信号の変調度、又は後行サブビームスポット１１３ｂからの反射光から生成されるＳＳｂ信号の変調度は、記録動作中の制御外れによって変化する。
【００９１】
本実施の形態１の変形例では、ＳＳａ信号又はＳＳｂ信号の変調度の変化によって記録動作中のフォーカス制御外れ又はトラッキング制御外れが検出される。マイクロコンピュータ１１１は、サブビーム受光部１１５からの信号の変調度が記録済み領域における変調度又は未記録領域における変調度である場合に、フォーカス制御外れ状態又はトラッキング制御外れ状態であることを検出する。すなわち、マイクロコンピュータ１１１は、記録動作中にＳＳａ信号又はＳＳｂ信号の変調度が正常動作時の変調度ｍｏｄ０から、変調度ｍｏｄ０よりも低い変調度ｍｏｄ１又は変調度ｍｏｄ０よりも高い変調度ｍｏｄ２へ変化したことを検出する。これにより、フォーカス制御外れ又はトラッキング制御外れを検出することが可能となる。
【００９２】
マイクロコンピュータ１１１は、第１のサブディテクタ１１５ａから出力される信号の変調度と第２のサブディテクタ１１５ｂから出力される信号の変調度との和が、情報が記録されている記録済み領域における変調度又は情報が記録されていない未記録領域における変調度である場合に、フォーカス制御外れ状態又はトラッキング制御外れ状態であることを検出する。
【００９３】
以上のように、本実施の形態１の変形例の光ディスク装置においては、制御外れ検出部は、サブビーム受光部からの信号の変調度が記録済み領域における変調度又は未記録領域における変調度である場合に、フォーカス制御外れ状態又はトラッキング制御外れ状態であることを検出しても良い。
【００９４】
なお、光ディスク装置は、情報が記録されていない未記録領域における変調度ｍｏｄ１と、情報が記録されている記録済み領域における変調度ｍｏｄ２とを予め記憶するメモリを備えてもよい。マイクロコンピュータ１１１は、メモリから変調度ｍｏｄ１及び変調度ｍｏｄ２を読み出し、読み出した変調度ｍｏｄ１及び変調度ｍｏｄ２とサブビーム受光部１１５からの信号の変調度とを比較してもよい。この場合、マイクロコンピュータ１１１は、サブビーム受光部１１５からの信号の変調度が、変調度ｍｏｄ１又は変調度ｍｏｄ２である場合に、フォーカス制御外れ状態又はトラッキング制御外れ状態であることを検出する。
【００９５】
なお、本実施の形態１においては、光ディスク１０１は１つのサーボ層と複数の情報層とを備える構成としているが、記録動作中の制御外れの検出において、この光ディスク１０１の層構造に限定されることはない。例えば、光ディスク１０１は、複数のサーボ層を備えてもよい。また、光ディスク１０１は、１つの情報層を備えてもよい。
【００９６】
なお、本実施の形態１においては、光ディスク１０１はＨＴＬディスクであるとしているが、記録動作中の制御外れの検出において、この光ディスク１０１の特性に限定されることはない。すなわち、光ディスク１０１は、情報が記録されると反射率が上がるＬｏｗ−ｔｏ−Ｈｉｇｈディスク（以降、ＬＴＨディスクと称す）であってもよい。
【００９７】
この場合、サブビーム合成信号ＳＳによる制御外れの検出においては、記録動作中に制御外れによって記録再生用光ビームが未記録領域へ移動した場合、サブビーム合成信号ＳＳの信号レベルは、未記録領域の信号レベルへ下降する。一方、記録動作中に制御外れによって記録再生用光ビームが記録済み領域へ移動した場合、サブビーム合成信号ＳＳの信号レベルは、記録済み領域の信号レベルへ上昇する。以上により、光ディスク１０１がＬＴＨディスクであっても、記録動作中にサブビーム合成信号ＳＳを用いて制御外れを検出することが可能となる。
【００９８】
また、本実施の形態１の変形例では、２つのサブビームを光ディスク１０１に収束させているが、本発明は特にこれに限定されず、１つのサブビームを光ディスク１０１に収束させても良い。光ディスク装置は、例えば、図３に示す先行サブビームスポット１１３ａ及び後行サブビームスポット１１３ｂのうちのいずれか一方のみを光ディスク１０１に形成してもよい。
【００９９】
すなわち、光ビームがメインビームと１つのサブビームとに分割され、１つのサブビームが、メインビームがトラックの中心に収束している場合に情報が記録されている記録済み領域側に収束する場合、マイクロコンピュータ１１１は、サブビーム受光部１１５からの信号の変調度が、記録済み領域における変調度から未記録領域における変調度に変化したとき、フォーカス制御外れ状態又はトラッキング制御外れ状態であることを検出する。
【０１００】
また、光ビームがメインビームと１つのサブビームとに分割され、１つのサブビームは、メインビームがトラックの中心に収束している場合に情報が記録されていない未記録領域側に収束する場合、マイクロコンピュータ１１１は、サブビーム受光部１１５からの信号の変調度が、未記録領域における変調度から記録済み領域における変調度に変化に変化したとき、フォーカス制御外れ状態又はトラッキング制御外れ状態であることを検出する。
【０１０１】
さらに、光ビームがメインビームと１つのサブビームとに分割され、１つのサブビームが、メインビームがトラックの中心に収束している場合に情報が記録されていない未記録領域と情報が記録されている記録済み領域との境界上に収束する場合、マイクロコンピュータ１１１は、サブビーム受光部１１５からの信号の変調度が、未記録領域における変調度又は記録済み領域における変調度であるとき、フォーカス制御外れ状態又はトラッキング制御外れ状態であることを検出してもよい。
【０１０２】
さらにまた、本実施の形態１の変形例では、３つ以上のサブビームを光ディスク１０１に収束させても良い。
【０１０３】
（実施の形態２）
図９は、本発明の実施の形態２における光ディスク装置の構成を示すブロック図である。なお、実施の形態１と同じ構成については、実施の形態１と同じ番号を付し、その説明を省略する。
【０１０４】
図１０は、本発明の実施の形態２における光ディスク１０１の情報層上に形成されるメインビームスポット１１２、先行サブビームスポット２１３ａ及び後行サブビームスポット２１３ｂの照射位置の一例を示す模式図である。
【０１０５】
図１０に示すように、先行サブビームスポット２１３ａの照射位置は、メインビームスポット１１２に対して０．５トラックだけ外周側に位置している。また、後行サブビームスポット２１３ｂの照射位置は、メインビームスポット１１２に対して０．５トラックだけ内周側に位置している。
【０１０６】
また、先行サブビームは、メインビームがトラックの中心に収束している場合に、情報が記録されていない未記録領域側に収束している。後行サブビームは、メインビームがトラックの中心に収束している場合に、情報が記録されている記録済み領域側に収束している。
【０１０７】
図９に示す光ディスク装置は、光ピックアップ１００、ＴＥ演算部１０２、トラッキング制御部１０３、トラッキング駆動部１０４、ＦＥ演算部１０６、フォーカス制御部１０７、フォーカス駆動部１０８、ｄＳＳ演算部２１０及びマイクロコンピュータ１１１を備える。
【０１０８】
ｄＳＳ演算部２１０は、サブビーム受光部１１５から出力された２つの信号の差分を算出することにより、サブビーム差分信号ｄＳＳを演算する。
【０１０９】
マイクロコンピュータ１１１は、情報を記録する記録動作中に、サブビーム受光部１１５からの信号に基づき、メインビームの収束点が所定の情報層上から外れるフォーカス制御外れ状態、又は、メインビームの収束点が情報層上の所定のトラック又は所定のマーク列から外れるトラッキング制御外れ状態を検出する。マイクロコンピュータ１１１は、ｄＳＳ演算部２１０によって演算されたサブビーム差分信号ｄＳＳに基づいて、光ディスク装置の記録動作中において、記録再生用光ビームが制御外れ状態であるかを検出する。
【０１１０】
サブビーム受光部１１５は、情報層より反射された第１のサブビームを受光する第１のサブディテクタ１１５ａ（図４参照）と、情報層より反射された、第１のサブビームとは異なる第２のサブビームを受光する第２のサブディテクタ１１５ｂ（図４参照）とを含む。
【０１１１】
マイクロコンピュータ１１１は、第１のサブディテクタ１１５ａから出力される信号のレベルと、第２のサブディテクタ１１５ｂから出力される信号のレベルとの差分が所定レベル未満である場合に、フォーカス制御外れ状態又はトラッキング制御外れ状態であることを検出する。
【０１１２】
図１１は、図９に示すｄＳＳ演算部２１０の構成を示すブロック図である。
【０１１３】
ｄＳＳ演算部２１０は、加算器２１０ａと、加算器２１０ｂと、減算器２１０ｃとを備える。
【０１１４】
なお、本実施の形態２において、第１のサブディテクタ１１５ａ及び第２のサブディテクタ１１５ｂが複数のサブビーム受光部の一例に相当し、ｄＳＳ演算部２１０及びマイクロコンピュータ１１１が制御外れ検出部の一例に相当する。
【０１１５】
以上のように構成された光ディスク装置の動作について説明する。なお、以下の説明において、実施の形態１と同様の動作ついてはその説明を省略する。
【０１１６】
第１のサブディテクタ１１５ａからの電気信号ＳＥ，ＳＦはｄＳＳ演算部２１０に入力される。加算器２１０ａは、電気信号ＳＥ，ＳＦを加算し、ｄＳＳａ信号として減算器２１０ｃへ出力する。第２のサブディテクタ１１５ｂからの電気信号ＳＧ，ＳＨはｄＳＳ演算部２１０に入力される。加算器２１０ｂは、電気信号ＳＧ，ＳＨを加算し、ｄＳＳｂ信号として減算器２１０ｃへ出力する。ｄＳＳａ信号とｄＳＳｂ信号とは減算器２１０ｃに入力される。減算器２１０ｃは、ｄＳＳａ信号からｄＳＳｂ信号を減算し、サブビーム差分信号ｄＳＳとして出力する。サブビーム差分信号ｄＳＳは、マイクロコンピュータ１１１に入力される。マイクロコンピュータ１１１は、入力されたサブビーム差分信号ｄＳＳの信号レベルに基づいて、光ディスク装置の記録動作中における記録再生用光ビームの制御外れを検出する。
【０１１７】
以上の動作により、記録動作中に、フォーカス制御外れ状態又はトラッキング制御外れ状態が発生した場合、光ディスク装置は、マイクロコンピュータ（制御外れ検出部）１１１によりフォーカス制御外れ状態又はトラッキング制御外れ状態を検出し、記録動作を中断させることができる。
【０１１８】
ここで、本実施の形態２におけるサブビーム差分信号ｄＳＳを用いた記録動作中の制御外れ検出方法について説明する。
【０１１９】
図１２は、本発明の実施の形態２において、記録動作中に制御外れが発生した場合のサブビーム差分信号ｄＳＳの変化を示した波形図である。このとき、光ディスク１０１は、情報が記録されると反射率が下がるＨＴＬディスクであるとする。
【０１２０】
追記型の情報層を持つ光ディスク１０１への正常な記録動作中においては、記録再生用光ビームは、常に記録済み領域と未記録録領域との境界である記録境界に位置する。このとき、図１０に示すように、先行サブビームスポット２１３ａの照射位置は常に未記録領域であり、後行サブビームスポット２１３ｂの照射位置は常に記録済み領域である。したがって、先行サブビームスポット２１３ａからの反射光量と、後行サブビームスポット２１３ｂからの反射光量との差であるサブビーム差分信号ｄＳＳは、未記録領域からの反射光量と記録済み領域からの反射光量との差となり、正常な記録動作中は、図１２に示すように、一定の信号レベルｄＳＳ０となる。
【０１２１】
一方、記録動作中にフォーカス制御外れ又はトラッキング制御外れが発生した場合、記録再生用光ビームは記録境界から外れるため、先行サブビームスポット２１３ａ及び後行サブビームスポット２１３ｂの照射位置においては、前述した関係が成り立たない。
【０１２２】
すなわち、記録再生用光ビームが移動した先の領域が未記録領域であれば、先行サブビームスポット２１３ａ及び後行サブビームスポット２１３ｂの照射位置はいずれも同じ未記録領域である。この場合、先行サブビームスポット２１３ａからの反射光量と後行サブビームスポット２１３ｂからの反射光量との差であるサブビーム差分信号ｄＳＳの信号レベルは、図１２に示すように、信号レベルＳＳ０から信号レベルｄＳＳ１に低下し、ほぼ０となる。
【０１２３】
また、記録再生用光ビームが移動した先の領域が記録済み領域であれば、先行サブビームスポット２１３ａ及び後行サブビームスポット２１３ｂの照射位置はいずれも同じ記録済み領域である。この場合、サブビーム差分信号ｄＳＳの信号レベルは、図１２に示すように、信号レベルＳＳ０から信号レベルｄＳＳ１に低下し、ほぼ０となる。
【０１２４】
したがって、先行サブビームスポット２１３ａからの反射光量と後行サブビームスポット２１３ｂからの反射光量との差であるサブビーム差分信号ｄＳＳの信号レベルは、記録動作中のフォーカス制御外れ又はトラッキング制御外れによって変化する。
【０１２５】
本実施の形態２では、前記したサブビーム差分信号ｄＳＳの信号レベルの変化によって記録動作中のフォーカス制御外れ又はトラッキング制御外れを検出する。すなわち、マイクロコンピュータ１１１は、記録動作中にサブビーム差分信号ｄＳＳの信号レベルが正常動作時の信号レベルｄＳＳ０からほぼ０である信号レベルｄＳＳ１へ変化したことを検出する。これにより、フォーカス制御外れ又はトラッキング制御外れを検出することが可能となる。
【０１２６】
したがって、本実施の形態２においては、光ディスク装置は、サブビーム差分信号ｄＳＳを用いて記録動作中にフォーカス制御外れ又はトラッキング制御外れを正確に検出し、記録動作を中断することが可能となる。そのため、既に記録された情報が誤って破壊されたり、記録されたマーク列が不連続になったりすることを防ぐことが可能となる。その結果、光ディスク装置の記録信頼性の向上が実現できる。
【０１２７】
なお、光ディスク装置は、サブビーム受光部１１５から出力される複数の信号のレベルの差分と比較するための所定の閾値を予め記憶するメモリを備えてもよい。所定の閾値は、例えば、正常動作時の信号レベルｄＳＳ０と、フォーカス制御外れ又はトラッキング制御外れが発生した場合の信号レベルｄＳＳ１との間の信号レベルである。マイクロコンピュータ１１１は、メモリから所定の閾値を読み出し、読み出した所定の閾値とサブビーム受光部１１５から出力される複数の信号のレベルの差分とを比較してもよい。この場合、マイクロコンピュータ１１１は、サブビーム受光部１１５から出力される複数の信号のレベルの差分が、所定の閾値未満である場合に、フォーカス制御外れ状態又はトラッキング制御外れ状態であることを検出する。
【０１２８】
以上のように、本実施の形態２の光ディスク装置は、主に下記の構成を有している。
【０１２９】
すなわち、本実施の形態２の光ディスク装置は、メインビームとサブビームとを光ディスクの情報層上に収束させることにより情報を記録する光ディスク装置であって、メインビームの収束点が所定の情報層上に収束するように制御するフォーカス制御部と、メインビームの収束点が情報層上の所定のトラック又は所定のマーク列を走査するように制御するトラッキング制御部と、情報層より反射されたサブビームを受光し、受光量に応じた信号を出力するサブビーム受光部と、情報を記録する記録動作中に、サブビーム受光部からの信号に基づき、メインビームの収束点が所定の情報層上から外れるフォーカス制御外れ状態、又は、メインビームの収束点が情報層上の所定のトラック又は所定のマーク列から外れるトラッキング制御外れ状態を検出する制御外れ検出部とを備える。
【０１３０】
以上の構成により、既に記録された情報が誤って破壊されたり、記録されたマーク列が不連続になったりすることを防ぐことが可能となる。その結果、光ディスク装置の記録信頼性の向上が実現できる。
【０１３１】
さらに、本実施の形態２の光ディスク装置においては、サブビームは、複数の光ビームを含み、サブビーム受光部は、情報層より反射された複数の光ビームをそれぞれ受光する複数のサブビーム受光部を含み、制御外れ検出部は、複数のサブビーム受光部から出力される複数の信号のレベルの差分が所定レベル未満である場合に、フォーカス制御外れ状態又はトラッキング制御外れ状態であることを検出しても良い。
【０１３２】
また、実施の形態１及び２の制御外れ検出方法は、主に下記の構成を有している。
【０１３３】
すなわち、本実施の形態１及び２の制御外れ検出方法は、メインビームとサブビームとを光ディスクの情報層上に収束させることにより情報を記録する光ディスク装置における制御外れ検出方法である。このとき、制御外れ検出方法は、メインビームの収束点が所定の情報層上に収束するように制御するフォーカス制御ステップと、メインビームの収束点が情報層上の所定のトラック又は所定のマーク列を走査するように制御するトラッキング制御ステップと、情報層より反射されたサブビームを受光し、受光量に応じた信号を出力するサブビーム受光ステップと、情報を記録する記録動作中に、サブビーム受光ステップにおいて出力される信号に基づき、メインビームの収束点が所定の情報層上から外れるフォーカス制御外れ状態、又は、メインビームの収束点が情報層上の所定のトラック又は所定のマーク列から外れるトラッキング制御外れ状態を検出する制御外れ検出ステップとを含む。
【０１３４】
以上の構成により、既に記録された情報が誤って破壊されたり、記録されたマーク列が不連続になったりすることを防ぐことが可能となる。その結果、光ディスク装置の記録信頼性の向上が実現できる。
【０１３５】
なお、本実施の形態２においては、記録再生用光ビームのメインビームスポット１１２、先行サブビームスポット２１３ａ及び後行サブビームスポット２１３ｂの照射位置は、図１０に示す位置としているが、以下の構成としてもよい。
【０１３６】
図１３は、本実施の形態２の第１の変形例における光ディスク１０１の情報層上に形成されるメインビームスポット１１２、先行サブビームスポット３１３ａ及び後行サブビームスポット３１３ｂの照射位置の一例を示す模式図である。
【０１３７】
図１３に示すように、記録動作中に記録再生用光ビームが記録境界に位置する場合、先行サブビームスポット３１３ａは、メインビームスポット１１２と同一トラック半径位置上の未記録領域に位置し、後行サブビームスポット３１３ｂは、メインビームスポット１１２と同一トラック半径位置上の記録済み領域に位置する。
【０１３８】
以上の構成であっても、マイクロコンピュータ１１１は、サブビーム差分信号ｄＳＳの信号レベルの変化によって記録動作中の制御外れを検出できる。
【０１３９】
また、図１４は、本実施の形態２の第２の変形例における光ディスク１０１の情報層上に形成されるメインビームスポット１１２、先行サブビームスポット４１３ａ及び後行サブビームスポット４１３ｂの照射位置の一例を示す模式図である。
【０１４０】
図１４に示すように、先行サブビームスポット４１３ａは、メインビームスポット１１２に対して１．５トラックだけ内周側に位置し、後行サブビームスポット４１３ｂは、メインビームスポット１１２に対して１．５トラックだけ外周側に位置する。
【０１４１】
以上の構成であっても、マイクロコンピュータ１１１は、サブビーム差分信号ｄＳＳの信号レベルの変化によって記録動作中の制御外れを検出できる。
【０１４２】
なお、本実施の形態２においては、光ディスク１０１は１つのサーボ層と複数の情報層とを備える構成としているが、記録動作中の制御外れの検出において、この光ディスク１０１の層構造に限定されることはない。
【０１４３】
なお、本実施の形態２においては、光ディスク１０１はＨＴＬディスクであるとしているが、記録動作中の制御外れの検出において、この光ディスク１０１の特性に限定されることはない。すなわち、光ディスク１０１は、ＬＴＨディスクであってもよい。この場合、マイクロコンピュータ１１１は、記録動作中にサブビーム差分信号ｄＳＳを用いて制御外れを検出することが可能である。
【０１４４】
（実施の形態３）
図１５は、本発明の実施の形態３における情報記録媒体の構成を示す図である。
【０１４５】
実施の形態１及び２では、情報記録媒体として、図２に示すような構成を例として示した。しかし、情報記録媒体は、互いに孤立し、列状に配置された複数の記録領域を有しても良い。例えば、図１５のように、情報記録媒体５００は、基板５１１上に列状に配置された複数の微粒子５１２を有しても良い。複数の微粒子５１２が列状に配置されることにより、トラック５１３が形成される。
【０１４６】
実施の形態３における記録装置は、図１５に示すような、互いに孤立し、列状に配置された複数の微粒子５１２を有する情報記録媒体５００に、情報を記録する。なお、互いに孤立した記録領域は、微粒子であっても良い。もしくは、互いに孤立した微粒子５１２は、柱状のピラーであっても良い。
【０１４７】
なお、図１５において、ハッチングが施された微粒子５１２は記録済み状態であることを表し、ハッチングが施されていない微粒子５１２は未記録状態であることを表している。
【０１４８】
図１６は、本発明の実施の形態３における記録装置の構成を示すブロック図である。
【０１４９】
実施の形態３における記録装置６００は、散乱体（記録部）５０１、共鳴素子５０２、トラッキング制御部５０３、共鳴状態検出部５０４及び制御外れ検出部５０５を備える。
【０１５０】
散乱体５０１は、微粒子（記録領域）５１２に情報を記録する。共鳴素子５０２は、微粒子５１２の記録状態に応じて共鳴状態が変化する。トラッキング制御部５０３は、散乱体５０１が所定のトラック５１３を走査するように制御する。共鳴状態検出部５０４は、微粒子５１２の記録状態に応じた、共鳴素子５０２の共鳴状態の変化を検出し、検出した共鳴状態の変化に応じた信号を出力する。制御外れ検出部５０５は、情報を記録する記録動作中に、共鳴状態検出部５０４からの信号に基づき、散乱体５０１が所定のトラック５１３から外れるトラッキング制御外れ状態を検出する。
【０１５１】
例えば、散乱体５０１は、近接場光を用いて情報を記録する。散乱体５０１は、例えば、ナノスケールの微小金属で構成され、光が照射されることにより、金属中の自由電子に集団振動を発生させ、プラズモンを励起させる。プラズモンを励起させることにより、局所的に増強された強い電磁場が得られる。これを応用して、散乱体５０１に光を入射させることにより局在プラズモンが励起され、散乱体５０１の近傍の光電場（近接場光）が局所的に増強する。そして、その近接場光を用いることにより、回折限界を超えたナノメートルオーダーの微小領域に情報を記録することができる。
【０１５２】
散乱体５０１としては、例えば、金、銀、プラチナ、アルミニウム又はクロムなどの金属材料を用いても良い。また、散乱体５０１は、図１６に示すような、三角形状のアンテナであっても良い。もしくは、散乱体５０１の形状は、円柱形状などであっても良い。
【０１５３】
なお、記録部の具体例として、散乱体５０１を例示したが、これに限られない。例えば、記録部は、磁気を利用した記録部であっても良い。記録部は、微粒子５１２の記録状態を変化させることが可能であれば良い。
【０１５４】
共鳴素子５０２は、微粒子５１２の記録状態に応じて共鳴状態が変化する。例えば、共鳴素子５０２と、共鳴素子５０２に近接する微粒子５１２とのプラズモン共鳴の度合いは、微粒子５１２が記録済みの状態であるか、未記録の状態であるかに応じて変化する。
【０１５５】
共鳴素子５０２としては、例えば、金、銀、プラチナ、アルミニウム又はクロムなどの金属材料を用いても良い。また、共鳴素子５０２は、図１６に示すような、三角形状のアンテナであっても良い。もしくは、共鳴素子５０２の形状は、円柱形状などであっても良い。
【０１５６】
実施の形態３における情報記録媒体５００の微粒子５１２は、記録状態に応じて、上述の共鳴素子５０２との共鳴状態が変化する材料を含んでいる。例えば、実施の形態３における情報記録媒体５００の微粒子５１２は、誘電体材料、又は、金属を含む材料を含んでいても良い。
【０１５７】
もしくは、微粒子５１２は、相変化材料を含んでいても良い。これにより、例えば、散乱体５０１によって近接場光が微粒子５１２に照射されることで、微粒子５１２はアモルファス状態又は結晶状態へ変化する。この現象を利用して、例えば、微粒子５１２の一つ一つを１単位として、微粒子５１２に情報を記録することが可能である。例えば、記録状態が結晶状態に対応し、未記録状態がアモルファス状態に対応しても良い。もしくは、その逆に、記録状態がアモルファス状態に対応し、未記録状態が結晶状態に対応しても良い。
【０１５８】
共鳴状態検出部５０４は、微粒子５１２の記録状態に応じた、共鳴素子５０２の共鳴状態の変化を検出する。共鳴素子５０２に照射された光の反射光又は透過光は、その共鳴素子５０２の共鳴状態によって変化する。したがって、例えば、この現象を利用して、共鳴状態検出部５０４は、共鳴素子５０２の共鳴状態の変化を検出することができる。共鳴素子５０２に光が照射され、共鳴素子５０２からの反射光又は透過光の変化を検出することで、共鳴状態検出部５０４は、共鳴素子５０２の共鳴状態の変化を検出する。
【０１５９】
実施の形態３における記録装置６００は、微粒子５１２の記録状態に応じた、共鳴素子５０２の共鳴状態の変化に基づき、記録装置６００の記録動作中に、トラッキング制御外れを検出する。
【０１６０】
これにより、トラッキング制御外れを精度良く検出することができる。このため、トラッキング制御外れにより、既に記録された情報が誤って破壊されたり、記録された記録領域の列が不連続になったりすることを防ぐことが可能となる。その結果、記録装置の記録信頼性の向上が実現できる。
【０１６１】
なお、本実施の形態３において、記録装置が光情報装置の一例に相当し、散乱体５０１が記録部の一例に相当し、共鳴素子５０２が共鳴素子の一例に相当し、トラッキング制御部５０３がトラッキング制御部の一例に相当し、共鳴状態検出部５０４が共鳴状態検出部の一例に相当し、制御外れ検出部５０５が制御外れ検出部の一例に相当する。
【０１６２】
図１７は、本実施の形態３における散乱体と共鳴素子との配置位置の一例を示す模式図である。なお、図１７において、ハッチングが施された微粒子５１２は記録済み状態であることを表し、ハッチングが施されていない微粒子５１２は未記録状態であることを表している。
【０１６３】
図１７において、紙面の下から上へ向かう方向が、散乱体５０１及び共鳴素子５０２の走査方向である。ここで、記録装置６００は、光ディスク装置のように、情報記録媒体５００を回転させることで、散乱体５０１及び共鳴素子５０２が情報記録媒体上を走査するようにしても良い。もしくは、記録装置６００は、散乱体５０１及び共鳴素子５０２を移動させる移動部を備えていても良い。すなわち、移動部によって散乱体５０１及び共鳴素子５０２を移動させることで、散乱体５０１及び共鳴素子５０２が情報記録媒体５００上を走査するようにしても良い。
【０１６４】
図１７において、紙面の左右方向がトラッキング方向である。情報記録媒体５００がディスク形状である場合、例えば、紙面の左方向が内周方向であり、紙面の右方向が外周方向である。また、図１７において、破線は、トラック５１３の中心を示す。一点鎖線は、隣接する２つのトラックの中間位置を示す。
【０１６５】
図１７に示すように、共鳴素子５０２は、散乱体５０１に対して、トラッキング方向に、トラックピッチの半分の距離（０．５トラック）だけ、ずれた位置に配置されている。共鳴素子５０２は、情報が記録されている記録済み領域と、情報が記録されていない未記録領域との境界上に配置される。
【０１６６】
ここで、図１７に示す共鳴素子５０２を用いたトラッキング制御外れの検出方法を説明する。
【０１６７】
トラッキング制御が正常である場合の、共鳴状態検出部５０４からの信号のレベルを第１の信号レベルＲＳ１とする。ここで、トラッキング制御外れが発生し、散乱体５０１及び共鳴素子５０２の位置が、トラッキング方向にずれたとする。トラッキング制御外れにより、共鳴素子５０２が、記録済み状態である微粒子５１２に近接した場合、共鳴状態検出部５０４からの信号のレベルは、第１の信号レベルＲＳ１とは異なる第２の信号レベルＲＳ２に変化する。一方、トラッキング制御外れにより、共鳴素子５０２が、未記録状態である微粒子５１２に近接した場合、共鳴状態検出部５０４からの信号のレベルは、第１の信号レベルＲＳ１及び第２の信号レベルＲＳ２とは異なる第３の信号レベルＲＳ３に変化する。
【０１６８】
図１８は、本発明の実施の形態３において、記録動作中にトラッキング制御外れが発生した場合の共鳴状態検出部からの信号の変化を示した波形図である。
【０１６９】
図１８に示すように、トラッキング状態が正常である場合、共鳴状態検出部５０４からの信号のレベルは第１の信号レベルＲＳ１となる。ここで、記録動作中にトラッキング制御外れが発生し、共鳴素子５０２が、記録済み状態である微粒子５１２に近接した場合、共鳴状態検出部５０４からの信号のレベルは、第１の信号レベルＲＳ１よりも高い第２の信号レベルＲＳ２に変化する。一方、トラッキング制御外れにより、共鳴素子５０２が、未記録状態である微粒子５１２に近接した場合、共鳴状態検出部５０４からの信号のレベルは、第１の信号レベルＲＳ１よりも低い第３の信号レベルＲＳ３に変化する。
【０１７０】
制御外れ検出部５０５は、共鳴状態検出部５０４からの信号のレベルが、情報が記録されている記録済み領域における共鳴状態のレベル又は情報が記録されていない未記録領域における共鳴状態のレベルに変化した場合、トラッキング制御外れ状態であることを検出する。
【０１７１】
なお、共鳴状態により、共鳴素子５０２が、記録済み状態である微粒子５１２に近接した場合、共鳴状態検出部５０４からの信号のレベルは、第１の信号レベルよりも低い第２の信号レベルに変化する場合もある。また、共鳴状態により、共鳴素子５０２が、未記録状態である微粒子５１２に近接した場合、共鳴状態検出部５０４からの信号のレベルは、第１の信号レベルよりも高い第３の信号レベルに変化する場合もある。
【０１７２】
このように、制御外れ検出部５０５は、共鳴状態検出部５０４からの信号のレベルの変化を利用することで、記録装置６００の記録動作中に、トラッキング制御外れ状態を検出することができる。
【０１７３】
なお、記録装置６００は、情報が記録されていない未記録領域における共鳴状態を示す第３の信号レベルＲＳ３と、情報が記録されている記録済み領域における共鳴状態を示す第２の信号レベルＲＳ２とを予め記憶するメモリを備えてもよい。制御外れ検出部５０５は、メモリから第３の信号レベルＲＳ３及び第２の信号レベルＲＳ２を読み出し、読み出した第３の信号レベルＲＳ３及び第２の信号レベルＲＳ２と共鳴状態検出部５０４からの信号のレベルとを比較してもよい。この場合、制御外れ検出部５０５は、共鳴状態検出部５０４からの信号のレベルが、第３の信号レベルＲＳ３又は第２の信号レベルＲＳ２である場合に、トラッキング制御外れ状態であることを検出する。
【０１７４】
なお、実施の形態３における記録装置は、散乱体５０１と共鳴素子５０２とを保持する保持部をさらに備えても良い。保持部は、散乱体５０１と共鳴素子５０２との位置を固定しても良い。これにより、トラッキング制御外れによって散乱体に位置ずれが生じた場合に、共鳴素子５０２にも同じ位置ずれを生じさせることができる。
【０１７５】
なお、散乱体５０１と共鳴素子５０２との配置位置は、図１７に示す配置位置のみに限られない。
【０１７６】
すなわち、共鳴素子５０２は、散乱体５０１に対してトラッキング方向へ０．５トラックずれていることに限られず、散乱体５０１に対してトラッキング方向へ所定の距離だけ離れていても良い。
【０１７７】
また、共鳴素子５０２と散乱体５０１とは、散乱体５０１の走査方向に対して、ずれていなくても良い。
【０１７８】
また、散乱体５０１と共鳴素子５０２との配置位置は、例えば、図１９に示す配置位置であっても良い。図１９は、本実施の形態３の第１の変形例における散乱体と共鳴素子との配置位置の一例を示す模式図である。
【０１７９】
例えば、図１９に示すように、共鳴素子５０２の散乱体５０１に対するトラッキング方向へのずれは、未記録状態の微粒子５１２が存在する方向へのずれであっても良い。このとき、共鳴素子５０２は、散乱体５０１に対してトラッキング方向へ所定の距離だけずれていても良い。
【０１８０】
また、例えば、図１９に示すように、共鳴素子５０２は、散乱体５０１に対して、散乱体５０１の走査方向とは逆の方向に、所定の距離だけ離れていても良い。もしくは、共鳴素子５０２と散乱体５０１とは、散乱体５０１の走査方向に対して、ずれていなくても良い。
【０１８１】
また、散乱体５０１と共鳴素子５０２との配置位置は、例えば、図２０又は図２１に示す配置位置であっても良い。図２０は、本実施の形態３の第２の変形例における散乱体と共鳴素子との配置位置の一例を示す模式図である。図２１は、本実施の形態３の第３の変形例における散乱体と共鳴素子との配置位置の一例を示す模式図である。
【０１８２】
図２０及び図２１に示すように、共鳴素子５０２と散乱体５０１とは、トラッキング方向にずれていなくても良い。
【０１８３】
例えば、図２０に示すように、共鳴素子５０２は、散乱体５０１と同一トラック上の未記録状態の微粒子５１２の近傍に配置されていても良い。この構成であれば、トラッキング制御外れによって、散乱体５０１が、記録済み状態の微粒子５１２が存在する領域に誤って移動したことを、精度良く検出することができる。
【０１８４】
もしくは、図２１に示すように、共鳴素子５０２は、散乱体５０１と同一トラック上の記録済み状態の微粒子５１２の近傍に配置されていても良い。この構成であれば、トラッキング制御外れによって、散乱体５０１が、未記録状態の微粒子５１２が存在する領域に誤って移動したことを、精度良く検出することができる。
【０１８５】
すなわち、制御外れ検出部５０５は、共鳴状態検出部５０４からの信号のレベルが、情報が記録されている記録済み領域における共鳴状態のレベルから情報が記録されていない未記録領域における共鳴状態のレベルに変化した場合又は未記録領域における共鳴状態のレベルから記録済み領域における共鳴状態のレベルに変化した場合、トラッキング制御外れ状態であることを検出する。
【０１８６】
（実施の形態４）
図２２は、本発明の実施の形態４における記録装置の構成を示すブロック図である。
【０１８７】
図２２に示すように、実施の形態４における記録装置７００は、散乱体（記録部）５０１、第１の共鳴素子５０２ａ、第２の共鳴素子５０２ｂ、トラッキング制御部７０１、第１の共鳴状態検出部７０２、第２の共鳴状態検出部７０３及び制御外れ検出部７０４を備える。
【０１８８】
第１の共鳴素子５０２ａは、微粒子５１２の記録状態に応じて共鳴状態が変化する。第２の共鳴素子５０２ｂは、第１の共鳴素子５０２ａとは異なる位置に配置され、微粒子５１２の記録状態に応じて共鳴状態が変化する。
【０１８９】
トラッキング制御部７０１は、散乱体５０１が所定のトラックを走査するように制御する。第１の共鳴状態検出部７０２は、微粒子５１２の記録状態に応じた、第１の共鳴素子５０２ａの共鳴状態の変化を検出し、検出した共鳴状態の変化に応じた信号を出力する。第２の共鳴状態検出部７０３は、微粒子５１２の記録状態に応じた、第２の共鳴素子５０２ｂの共鳴状態の変化を検出し、検出した共鳴状態の変化に応じた信号を出力する。
【０１９０】
制御外れ検出部７０４は、第１の共鳴状態検出部７０２から出力される信号のレベルと、第２の共鳴状態検出部７０３から出力される信号のレベルとの差分が、所定レベル未満である場合に、トラッキング制御外れ状態であることを検出する。
【０１９１】
第２の共鳴素子５０２ｂは、微粒子５１２の記録状態に応じて共鳴状態が変化する。例えば、第２の共鳴素子５０２ｂと、第２の共鳴素子５０２ｂに近接する微粒子５１２とのプラズモン共鳴の度合いは、微粒子５１２が記録済み状態であるか、未記録状態であるかに応じて変化する。
【０１９２】
第１の共鳴素子５０２ａ及び第２の共鳴素子５０２ｂとしては、例えば、金、銀、プラチナ、アルミニウム又はクロムなどの金属材料を用いても良い。また、第１の共鳴素子５０２ａ及び第２の共鳴素子５０２ｂは、図２２に示すような、三角形状のアンテナであっても良い。もしくは、第１の共鳴素子５０２ａ及び第２の共鳴素子５０２ｂの形状は、円柱形状などであっても良い。
【０１９３】
第２の共鳴状態検出部７０３は、微粒子５１２の記録状態に応じた、第２の共鳴素子５０２ｂの共鳴状態の変化を検出する。共鳴素子に照射された光の反射光又は透過光は、その共鳴素子の共鳴状態によって変化する。したがって、例えば、この現象を利用して、第２の共鳴状態検出部７０３は、第２の共鳴素子５０２ｂの共鳴状態の変化を検出することができる。第２の共鳴素子５０２ｂに光が照射され、第２の共鳴素子５０２ｂからの反射光又は透過光の変化を検出することで、第２の共鳴状態検出部７０３は、第２の共鳴素子５０２ｂの共鳴状態の変化を検出する。
【０１９４】
なお、本実施の形態４において、記録装置７００が光情報装置の一例に相当し、散乱体５０１が記録部の一例に相当し、第１の共鳴素子５０２ａが第１の共鳴素子の一例に相当し、第２の共鳴素子５０２ｂが第２の共鳴素子の一例に相当し、トラッキング制御部７０１がトラッキング制御部の一例に相当し、第１の共鳴状態検出部７０２が第１の共鳴状態検出部の一例に相当し、第２の共鳴状態検出部７０３が第２の共鳴状態検出部の一例に相当し、制御外れ検出部７０４が制御外れ検出部の一例に相当する。
【０１９５】
図２３は、本実施の形態４における散乱体、第１の共鳴素子及び第２の共鳴素子の配置位置の一例を示す模式図である。
【０１９６】
図２３に示すように、第１の共鳴素子５０２ａは、散乱体５０１に対してトラッキング方向の未記録状態の微粒子５１２が存在する側に、トラックピッチの半分の距離（０．５トラック）だけ、ずれた位置に配置されている。さらに、第２の共鳴素子５０２ｂは、散乱体５０１に対してトラッキング方向の記録済み状態の微粒子５１２が存在する側に、トラックピッチの半分の距離（０．５トラック）だけ、ずれた位置に配置されている。
【０１９７】
ここで、図２３に示す第１の共鳴素子５０２ａ及び第２の共鳴素子５０２ｂを用いたトラッキング制御外れの検出方法を説明する。
【０１９８】
トラッキング制御が正常である場合の、第１の共鳴状態検出部７０２からの信号のレベルと、第２の共鳴状態検出部７０３からの信号のレベルとの差分を第１の差分信号レベルとする。ここで、トラッキング制御外れが発生し、散乱体５０１、第１の共鳴素子５０２ａ及び第２の共鳴素子５０２ｂの位置が、トラッキング方向にずれたとする。トラッキング制御外れにより、第１の共鳴素子５０２ａ及び第２の共鳴素子５０２ｂが、どちらも記録済み状態である微粒子５１２に近接した場合、第１の共鳴状態検出部７０２からの信号のレベルと第２の共鳴状態検出部７０３からの信号のレベルとの差分は、第１の差分信号レベルとは異なる第２の差分信号レベルに変化する。
【０１９９】
一方、トラッキング制御外れにより、第１の共鳴素子５０２ａ及び第２の共鳴素子５０２ｂが、どちらも未記録状態である微粒子５１２に近接した場合、第１の共鳴状態検出部７０２からの信号のレベルと第２の共鳴状態検出部７０３からの信号のレベルとの差分は、第１の差分信号レベルとは異なる第３の差分信号レベルに変化する。
【０２００】
図２４は、本発明の実施の形態４において、記録動作中にトラッキング制御外れが発生した場合の第１の共鳴状態検出部からの信号のレベルと第２の共鳴状態検出部からの信号のレベルとの差分の変化を示した波形図である。
【０２０１】
図２４に示すように、トラッキング状態が正常である場合、第１の共鳴状態検出部７０２からの信号のレベルと第２の共鳴状態検出部７０３からの信号のレベルとの差分は、第１の差分信号レベルｄＲＳ１となる。ここで、記録動作中にトラッキング制御外れが発生し、第１の共鳴素子５０２ａ及び第２の共鳴素子５０２ｂが、記録済み状態である微粒子５１２に近接した場合、第１の共鳴状態検出部７０２からの信号のレベルと第２の共鳴状態検出部７０３からの信号のレベルとの差分は、第１の差分信号レベルｄＲＳ１よりも低い第２の差分信号レベルｄＲＳ２に変化する。一方、トラッキング制御外れにより、第１の共鳴素子５０２ａ及び第２の共鳴素子５０２ｂが、未記録状態である微粒子５１２に近接した場合、第１の共鳴状態検出部７０２からの信号のレベルと第２の共鳴状態検出部７０３からの信号のレベルとの差分は、第１の差分信号レベルｄＲＳ１よりも低い第３の差分信号レベルｄＲＳ３に変化する。
【０２０２】
このとき、第２の差分信号レベルｄＲＳ２と第３の差分信号レベルｄＲＳ３とは、どちらも、ほぼ０である。すなわち、第１の共鳴状態検出部７０２からの信号のレベルと第２の共鳴状態検出部７０３からの信号のレベルとの差分は、所定レベル未満となる。
【０２０３】
このように、制御外れ検出部７０４は、第１の共鳴状態検出部７０２からの信号のレベルと第２の共鳴状態検出部７０３からの信号のレベルとの差分の変化を利用することで、記録装置７００の記録動作中に、トラッキング制御外れを検出することができる。
【０２０４】
これにより、トラッキング制御外れを、さらに精度良く検出することができる。このため、トラッキング制御外れにより、既に記録された情報が誤って破壊されたり、記録された記録領域の列が不連続になったりすることを防ぐことが可能となる。その結果、記録装置の記録信頼性の向上が実現できる。
【０２０５】
なお、記録装置７００は、第１の共鳴状態検出部７０２からの信号のレベルと第２の共鳴状態検出部７０３からの信号のレベルとの差分と比較するための所定の閾値を予め記憶するメモリを備えてもよい。所定の閾値は、例えば、正常動作時の第１の共鳴状態検出部７０２からの信号のレベルと第２の共鳴状態検出部７０３からの信号のレベルとの差分を示す第１の差分信号レベルｄＲＳ１と、トラッキング制御外れが発生した場合の第１の共鳴状態検出部７０２からの信号のレベルと第２の共鳴状態検出部７０３からの信号のレベルとの差分を示す第２又は第３の差分信号レベルｄＲＳ２又はｄＲＳ３との間の信号レベルである。制御外れ検出部７０４は、メモリから所定の閾値を読み出し、読み出した所定の閾値と、第１の共鳴状態検出部７０２からの信号のレベルと第２の共鳴状態検出部７０３からの信号のレベルとの差分とを比較してもよい。この場合、制御外れ検出部７０４は、第１の共鳴状態検出部７０２からの信号のレベルと第２の共鳴状態検出部７０３からの信号のレベルとの差分が、所定の閾値未満である場合に、トラッキング制御外れ状態であることを検出する。
【０２０６】
また、制御外れ検出部７０４は、第１の共鳴状態検出部７０２から出力される信号のレベルと、第２の共鳴状態検出部７０３から出力される信号のレベルとの和が、情報が記録されている記録済み領域における共鳴状態のレベル又は情報が記録されていない未記録領域における共鳴状態のレベルに変化した場合、トラッキング制御外れ状態であることを検出してもよい。
【０２０７】
なお、実施の形態４における記録装置は、散乱体５０１と第１の共鳴素子５０２ａと第２の共鳴素子５０２ｂとを保持する保持部をさらに備えても良い。保持部は、散乱体５０１と第１の共鳴素子５０２ａと第２の共鳴素子５０２ｂとの位置を固定しても良い。これにより、トラッキング制御外れによって散乱体５０１に位置ずれが生じた場合に、第１の共鳴素子５０２ａ及び第２の共鳴素子５０２ｂにも同じ位置ずれを生じさせることができる。
【０２０８】
なお、散乱体５０１と第１の共鳴素子５０２ａと第２の共鳴素子５０２ｂとの配置位置は、下記の構成であっても良い。
【０２０９】
図２５は、本実施の形態４の第１の変形例における散乱体と第１の共鳴素子と第２の共鳴素子との配置位置の一例を示す模式図である。
【０２１０】
図２５に示すように、第１の共鳴素子５０２ａは、散乱体５０１と同一トラック上の未記録状態の微粒子５１２の近傍に配置されている。さらに、第２の共鳴素子５０２ｂは、散乱体５０１と同一トラック上の記録済み状態の微粒子５１２の近傍に配置されている。
【０２１１】
散乱体５０１、第１の共鳴素子５０２ａ及び第２の共鳴素子５０２ｂが、図２５に示すように配置された場合であっても、制御外れ検出部７０４は、第１の共鳴状態検出部７０２からの信号のレベルと第２の共鳴状態検出部７０３からの信号のレベルとの差分の変化を利用することで、記録装置７００の記録動作中に、トラッキング制御外れを検出することができる。
【０２１２】
図２６は、本実施の形態４の第２の変形例における散乱体と第１の共鳴素子と第２の共鳴素子との配置位置の一例を示す模式図である。
【０２１３】
図２６に示すように、第１の共鳴素子５０２ａは、散乱体５０１に対してトラッキング方向の記録済み状態の微粒子５１２が存在する側に、所定の距離（例えば、１．５トラック）だけ、ずれた位置に配置されている。さらに、第２の共鳴素子５０２ｂは、散乱体５０１に対してトラッキング方向の未記録状態の微粒子５１２が存在する側に、所定の距離（例えば、１．５トラック）だけ、ずれた位置に配置されている。
【０２１４】
散乱体５０１、第１の共鳴素子５０２ａ及び第２の共鳴素子５０２ｂが、図２６に示すように配置された場合であっても、制御外れ検出部７０４は、第１の共鳴状態検出部７０２からの信号のレベルと第２の共鳴状態検出部７０３からの信号のレベルとの差分の変化を利用することで、記録装置７００の記録動作中に、トラッキング制御外れを検出することができる。
【０２１５】
図２７は、本実施の形態４の第３の変形例における散乱体と第１の共鳴素子と第２の共鳴素子との配置位置の一例を示す模式図である。
【０２１６】
図２７に示すように、第１の共鳴素子５０２ａと散乱体５０１とは、散乱体５０１の走査方向に対して、ずれていない。また、第２の共鳴素子５０２ｂと散乱体５０１とは、散乱体５０１の走査方向に対して、ずれていない。
【０２１７】
図２７に示すように、第１の共鳴素子５０２ａは、散乱体５０１に対してトラッキング方向の記録済み状態の微粒子５１２が存在する側に、所定の距離（例えば、２トラック）だけ、ずれた位置に配置されている。さらに、第２の共鳴素子５０２ｂは、散乱体５０１に対してトラッキング方向の未記録状態の微粒子５１２が存在する側に、所定の距離（例えば、１トラック）だけ、ずれた位置に配置されている。
【０２１８】
散乱体５０１、第１の共鳴素子５０２ａ及び第２の共鳴素子５０２ｂが、図２７に示すように配置された場合であっても、制御外れ検出部７０４は、第１の共鳴状態検出部７０２からの信号のレベルと第２の共鳴状態検出部７０３からの信号のレベルとの差分の変化を利用することで、記録装置７００の記録動作中に、トラッキング制御外れを検出することができる。
【０２１９】
以上、図２３、図２５、図２６及び図２７に示したように、散乱体５０１と第１の共鳴素子５０２ａと第２の共鳴素子５０２ｂとの配置位置は、下記の構成であっても良い。
【０２２０】
すなわち、第１の共鳴素子５０２ａと散乱体５０１とは、散乱体５０１の走査方向に対して、ずれていても良いし、ずれていなくても良い。また、第２の共鳴素子５０２ｂと散乱体５０１とは、散乱体５０１の走査方向に対して、ずれていても良いし、ずれていなくても良い。もしくは、第１の共鳴素子５０２ａ及び第２の共鳴素子５０２ｂのうち、いずれか一方のみが、散乱体５０１の走査方向に対して、ずれていても良い。
【０２２１】
また、第１の共鳴素子５０２ａは、散乱体５０１に対して、トラッキング方向の一方側に、ずれていても良いし、ずれていなくても良い。また、第２の共鳴素子５０２ｂは、散乱体５０１に対して、トラッキング方向の他方側に、ずれていても良いし、ずれていなくても良い。もしくは、第１の共鳴素子５０２ａ及び第２の共鳴素子５０２ｂのうち、いずれか一方のみが、トラッキング方向に、ずれていても良い。
【０２２２】
また、第１の共鳴素子５０２ａの散乱体５０１に対するトラッキング方向の一方側へのずれ量と、第２の共鳴素子５０２ｂの散乱体５０１に対するトラッキング方向の他方側へのずれ量とは、同じ量であっても良い。もしくは、第１の共鳴素子５０２ａの散乱体５０１に対するトラッキング方向の一方側へのずれ量と、第２の共鳴素子５０２ｂの散乱体５０１に対するトラッキング方向の他方側へのずれ量とは、異なる量であっても良い。
【０２２３】
以上のように、第１の共鳴素子５０２ａ及び第２の共鳴素子５０２ｂのうちの一方が、記録済み状態の微粒子５１２が存在する領域に配置されており、かつ、第１の共鳴素子５０２ａ及び第２の共鳴素子５０２ｂのうちの他方が、未記録状態の微粒子５１２が存在する領域に配置されていれば良い。
【０２２４】
なお、上述した具体的実施の形態には以下の構成を有する発明が主に含まれている。
【０２２５】
本発明の一局面に係る光情報装置は、メインビームとサブビームとを情報記録媒体の情報層上に収束させることにより情報を記録する光情報装置であって、前記メインビームの収束点が所定の情報層上に収束するように制御するフォーカス制御部と、前記メインビームの収束点が情報層上の所定のトラック又は所定のマーク列を走査するように制御するトラッキング制御部と、前記情報層より反射された前記サブビームを受光し、受光量に応じた信号を出力するサブビーム受光部と、前記情報を記録する記録動作中に、前記サブビーム受光部からの信号に基づき、前記メインビームの収束点が所定の情報層上から外れるフォーカス制御外れ状態、又は、前記メインビームの収束点が情報層上の所定のトラック又は所定のマーク列から外れるトラッキング制御外れ状態を検出する制御外れ検出部とを備える。
【０２２６】
この構成によれば、フォーカス制御部は、メインビームの収束点が所定の情報層上に収束するように制御する。トラッキング制御部は、メインビームの収束点が情報層上の所定のトラック又は所定のマーク列を走査するように制御する。サブビーム受光部は、情報層より反射されたサブビームを受光し、受光量に応じた信号を出力する。制御外れ検出部は、情報を記録する記録動作中に、サブビーム受光部からの信号に基づき、メインビームの収束点が所定の情報層上から外れるフォーカス制御外れ状態、又は、メインビームの収束点が情報層上の所定のトラック又は所定のマーク列から外れるトラッキング制御外れ状態を検出する。
【０２２７】
したがって、フォーカス制御外れ状態又はトラッキング制御外れ状態が検出されるので、既に記録された情報が誤って破壊されたり、記録されるマーク列が不連続になったりすることを防ぐことができ、その結果、光情報装置の記録信頼性を向上させることができる。
【０２２８】
また、上記の光情報装置において、前記制御外れ検出部は、前記サブビーム受光部から出力される信号のレベルが、情報が記録されている記録済み領域からの反射光レベル又は情報が記録されていない未記録領域からの反射光レベルである場合に、前記フォーカス制御外れ状態又は前記トラッキング制御外れ状態であることを検出することが好ましい。
【０２２９】
この構成によれば、サブビーム受光部から出力される信号のレベルが、情報が記録されている記録済み領域からの反射光レベル又は情報が記録されていない未記録領域からの反射光レベルである場合に、フォーカス制御外れ状態又はトラッキング制御外れ状態であることが検出される。
【０２３０】
したがって、サブビーム受光部から出力される信号のレベルが、記録済み領域からの反射光レベル又は未記録領域からの反射光レベルと比較されることにより、容易にフォーカス制御外れ状態又はトラッキング制御外れ状態を検出することができる。
【０２３１】
また、上記の光情報装置において、前記サブビームは、複数のサブビームを含み、前記サブビーム受光部は、前記情報層より反射された前記複数のサブビームをそれぞれ受光する複数のサブビーム受光部を含み、前記制御外れ検出部は、前記複数のサブビーム受光部から出力される複数の信号のレベルの和が、情報が記録されている記録済み領域からの反射光レベル又は情報が記録されていない未記録領域からの反射光レベルである場合に、前記フォーカス制御外れ状態又は前記トラッキング制御外れ状態であることを検出することが好ましい。
【０２３２】
この構成によれば、サブビームは、複数のサブビームを含む。複数のサブビーム受光部は、情報層より反射された複数のサブビームをそれぞれ受光する。そして、複数のサブビーム受光部から出力される複数の信号のレベルの和が、情報が記録されている記録済み領域からの反射光レベル又は情報が記録されていない未記録領域からの反射光レベルである場合に、フォーカス制御外れ状態又はトラッキング制御外れ状態であることが検出される。
【０２３３】
したがって、複数のサブビーム受光部から出力される複数の信号のレベルの和が、記録済み領域からの反射光レベル又は未記録領域からの反射光レベルと比較されることにより、容易にフォーカス制御外れ状態又はトラッキング制御外れ状態を検出することができる。
【０２３４】
また、上記の光情報装置において、前記サブビームは、前記メインビームがトラックの中心に収束している場合に、情報が記録されている記録済み領域側に収束する第１のサブビームと、前記メインビームがトラックの中心に収束している場合に、情報が記録されていない未記録領域側に収束する第２のサブビームとを含むことが好ましい。
【０２３５】
この構成によれば、サブビームは、メインビームがトラックの中心に収束している場合に、情報が記録されている記録済み領域側に収束する第１のサブビームと、メインビームがトラックの中心に収束している場合に、情報が記録されていない未記録領域側に収束する第２のサブビームとを含む。
【０２３６】
したがって、情報層によって反射された第１のサブビームと、情報層によって反射された第２のサブビームとを用いることにより、フォーカス制御外れ状態又はトラッキング制御外れ状態を確実に検出することができる。
【０２３７】
また、上記の光情報装置において、前記制御外れ検出部は、前記サブビーム受光部からの信号のレベルが、情報が記録されている記録済み領域からの反射光レベルから情報が記録されていない未記録領域からの反射光レベルに変化した場合又は前記未記録領域からの反射光レベルから前記記録済み領域からの反射光レベルに変化した場合、前記フォーカス制御外れ状態又は前記トラッキング制御外れ状態であることを検出することが好ましい。
【０２３８】
この構成によれば、光ビームがメインビームと１つのサブビームとに分割され、１つのサブビームが、メインビームがトラックの中心に収束している場合に情報が記録されている記録済み領域側に収束する場合、サブビーム受光部からの信号のレベルが、記録済み領域からの反射光レベルから未記録領域からの反射光レベルに変化したとき、フォーカス制御外れ状態又はトラッキング制御外れ状態であることが検出される。また、光ビームがメインビームと１つのサブビームとに分割され、１つのサブビームは、メインビームがトラックの中心に収束している場合に情報が記録されていない未記録領域側に収束する場合、サブビーム受光部からの信号のレベルが、未記録領域からの反射光レベルから記録済み領域からの反射光レベルに変化に変化したとき、フォーカス制御外れ状態又はトラッキング制御外れ状態であることが検出される。
【０２３９】
したがって、サブビームの反射光レベルの変化に基づいて、容易にフォーカス制御外れ状態又はトラッキング制御外れ状態を検出することができる。
【０２４０】
また、上記の光情報装置において、前記制御外れ検出部は、前記サブビーム受光部から出力される信号の変調度が、情報が記録されている記録済み領域における変調度又は情報が記録されていない未記録領域における変調度である場合に、前記フォーカス制御外れ状態又は前記トラッキング制御外れ状態であることを検出することが好ましい。
【０２４１】
この構成によれば、サブビーム受光部から出力される信号の変調度が、情報が記録されている記録済み領域における変調度又は情報が記録されていない未記録領域における変調度である場合に、フォーカス制御外れ状態又はトラッキング制御外れ状態であることが検出される。
【０２４２】
したがって、サブビーム受光部から出力される信号の変調度が、記録済み領域における変調度又は未記録領域における変調度と比較されることにより、容易にフォーカス制御外れ状態又はトラッキング制御外れ状態を検出することができる。
【０２４３】
また、上記の光情報装置において、前記サブビームは、複数のサブビームを含み、前記サブビーム受光部は、前記情報層より反射された前記複数のサブビームをそれぞれ受光する複数のサブビーム受光部を含み、前記制御外れ検出部は、前記複数のサブビーム受光部から出力される複数の信号の変調度の和が、情報が記録されている記録済み領域における変調度又は情報が記録されていない未記録領域における変調度である場合に、前記フォーカス制御外れ状態又は前記トラッキング制御外れ状態であることを検出することが好ましい。
【０２４４】
この構成によれば、サブビームは、複数のサブビームを含む。複数のサブビーム受光部は、情報層より反射された複数のサブビームをそれぞれ受光する。そして、複数のサブビーム受光部から出力される複数の信号の変調度の和が、情報が記録されている記録済み領域における変調度又は情報が記録されていない未記録領域における変調度である場合に、フォーカス制御外れ状態又はトラッキング制御外れ状態であることが検出される。
【０２４５】
したがって、複数のサブビーム受光部から出力される複数の信号の変調度の和が、記録済み領域における変調度又は未記録領域における変調度と比較されることにより、容易にフォーカス制御外れ状態又はトラッキング制御外れ状態を検出することができる。
【０２４６】
また、上記の光情報装置において、前記複数のサブビームは、前記メインビームがトラックの中心に収束している場合に、情報が記録されている記録済み領域側に収束する第１のサブビームと、前記メインビームがトラックの中心に収束している場合に、情報が記録されていない未記録領域側に収束する第２のサブビームとを含むことが好ましい。
【０２４７】
この構成によれば、サブビームは、メインビームがトラックの中心に収束している場合に、情報が記録されている記録済み領域側に収束する第１のサブビームと、メインビームがトラックの中心に収束している場合に、情報が記録されていない未記録領域側に収束する第２のサブビームとを含む。
【０２４８】
したがって、情報層によって反射された第１のサブビームと、情報層によって反射された第２のサブビームとを用いることにより、フォーカス制御外れ状態又はトラッキング制御外れ状態を確実に検出することができる。
【０２４９】
また、上記の光情報装置において、前記制御外れ検出部は、前記サブビーム受光部からの信号の変調度が、情報が記録されている記録済み領域における変調度から情報が記録されていない未記録領域における変調度に変化した場合又は前記未記録領域における変調度から前記記録済み領域における変調度に変化した場合、前記フォーカス制御外れ状態又は前記トラッキング制御外れ状態であることを検出することが好ましい。
【０２５０】
この構成によれば、光ビームがメインビームと１つのサブビームとに分割され、１つのサブビームが、メインビームがトラックの中心に収束している場合に情報が記録されている記録済み領域側に収束する場合、サブビーム受光部からの信号の変調度が、記録済み領域における変調度から未記録領域における変調度に変化したとき、フォーカス制御外れ状態又はトラッキング制御外れ状態であることが検出される。また、光ビームがメインビームと１つのサブビームとに分割され、１つのサブビームは、メインビームがトラックの中心に収束している場合に情報が記録されていない未記録領域側に収束する場合、サブビーム受光部からの信号の変調度が、未記録領域における変調度から記録済み領域における変調度に変化に変化したとき、フォーカス制御外れ状態又はトラッキング制御外れ状態であることが検出される。
【０２５１】
したがって、サブビームの変調度の変化に基づいて、容易にフォーカス制御外れ状態又はトラッキング制御外れ状態を検出することができる。
【０２５２】
また、上記の光情報装置において、前記サブビームは、複数のサブビームを含み、前記サブビーム受光部は、前記情報層より反射された前記複数のサブビームをそれぞれ受光する複数のサブビーム受光部を含み、前記制御外れ検出部は、前記複数のサブビーム受光部から出力される複数の信号のレベルの差分が所定レベル未満である場合に、前記フォーカス制御外れ状態又は前記トラッキング制御外れ状態であることを検出することが好ましい。
【０２５３】
この構成によれば、サブビームは、複数のサブビームを含む。サブビーム受光部は、情報層より反射された複数のサブビームをそれぞれ受光する複数のサブビーム受光部を含む。制御外れ検出部は、複数のサブビーム受光部から出力される複数の信号のレベルの差分が所定レベル未満である場合に、フォーカス制御外れ状態又はトラッキング制御外れ状態であることを検出する。
【０２５４】
したがって、複数の信号のレベルの差分が所定レベル未満である場合に、フォーカス制御外れ状態又はトラッキング制御外れ状態であることが検出されるので、フォーカス制御外れ状態又はトラッキング制御外れ状態を確実に検出することができる。
【０２５５】
また、上記の光情報装置において、前記複数のサブビームは、前記メインビームがトラックの中心に収束している場合に、情報が記録されている記録済み領域側に収束する第１のサブビームと、前記メインビームがトラックの中心に収束している場合に、情報が記録されていない未記録領域側に収束する第２のサブビームとを含むことが好ましい。
【０２５６】
この構成によれば、複数のサブビームは、メインビームがトラックの中心に収束している場合に、情報が記録されている記録済み領域側に収束する第１のサブビームと、メインビームがトラックの中心に収束している場合に、情報が記録されていない未記録領域側に収束する第２のサブビームとを含む。
【０２５７】
したがって、情報層によって反射された第１のサブビームと、情報層によって反射された第２のサブビームとを用いることにより、フォーカス制御外れ状態又はトラッキング制御外れ状態を確実に検出することができる。
【０２５８】
本発明の他の局面に係る制御外れ検出方法は、メインビームとサブビームとを情報記録媒体の情報層上に収束させることにより情報を記録する光情報装置における制御外れ検出方法であって、前記メインビームの収束点が所定の情報層上に収束するように制御するフォーカス制御ステップと、前記メインビームの収束点が情報層上の所定のトラック又は所定のマーク列を走査するように制御するトラッキング制御ステップと、前記情報層より反射された前記サブビームを受光し、受光量に応じた信号を出力するサブビーム受光ステップと、前記情報を記録する記録動作中に、前記サブビーム受光ステップにおいて出力される信号に基づき、前記メインビームの収束点が所定の情報層上から外れるフォーカス制御外れ状態、又は、前記メインビームの収束点が情報層上の所定のトラック又は所定のマーク列から外れるトラッキング制御外れ状態を検出する制御外れ検出ステップとを含む。
【０２５９】
この構成によれば、フォーカス制御ステップにおいて、メインビームの収束点が所定の情報層上に収束するように制御される。トラッキング制御ステップにおいて、メインビームの収束点が情報層上の所定のトラック又は所定のマーク列を走査するように制御される。サブビーム受光ステップにおいて、情報層より反射されたサブビームが受光され、受光量に応じた信号が出力される。制御外れ検出ステップにおいて、情報を記録する記録動作中に、サブビーム受光ステップで出力される信号に基づき、メインビームの収束点が所定の情報層上から外れるフォーカス制御外れ状態、又は、メインビームの収束点が情報層上の所定のトラック又は所定のマーク列から外れるトラッキング制御外れ状態が検出される。
【０２６０】
したがって、フォーカス制御外れ状態又はトラッキング制御外れ状態が検出されるので、既に記録された情報が誤って破壊されたり、記録されるマーク列が不連続になったりすることを防ぐことができ、その結果、光情報装置の記録信頼性を向上させることができる。
【０２６１】
本発明の他の局面に係る光情報装置は、互いに孤立した記録領域が列状に配置されたトラックを有する情報記録媒体に情報を記録する光情報装置であって、前記記録領域に情報を記録するための記録部と、前記記録領域の記録状態に応じて共鳴状態が変化する共鳴素子と、前記記録部が所定のトラックを走査するように制御するトラッキング制御部と、前記記録領域の記録状態に応じた、前記共鳴素子の共鳴状態の変化を検出し、検出した共鳴状態の変化に応じた信号を出力する共鳴状態検出部と、前記情報を記録する記録動作中に、前記共鳴状態検出部からの信号に基づき、前記記録部が前記所定のトラックから外れるトラッキング制御外れ状態を検出する制御外れ検出部とを備える。
【０２６２】
この構成によれば、記録部は、記録領域に情報を記録する。共鳴素子は、記録領域の記録状態に応じて共鳴状態が変化する。トラッキング制御部は、記録部が所定のトラックを走査するように制御する。共鳴状態検出部は、記録領域の記録状態に応じた、共鳴素子の共鳴状態の変化を検出し、検出した共鳴状態の変化に応じた信号を出力する。制御外れ検出部は、情報を記録する記録動作中に、共鳴状態検出部からの信号に基づき、記録部が所定のトラックから外れるトラッキング制御外れ状態を検出する。
【０２６３】
したがって、トラッキング制御外れ状態が検出されるので、既に記録された情報が誤って破壊されたり、記録されるマーク列が不連続になったりすることを防ぐことができ、その結果、光情報装置の記録信頼性を向上させることができる。
【０２６４】
また、上記の光情報装置において、前記共鳴素子は、第１の共鳴素子と、前記第１の共鳴素子とは異なる位置に配置された第２の共鳴素子とを含み、前記共鳴状態検出部は、前記記録領域の記録状態に応じた、前記第１の共鳴素子の共鳴状態の変化を検出し、検出した共鳴状態の変化に応じた信号を出力する第１の共鳴状態検出部と、前記記録領域の記録状態に応じた、前記第２の共鳴素子の共鳴状態の変化を検出し、検出した共鳴状態の変化に応じた信号を出力する第２の共鳴状態検出部とを含み、前記制御外れ検出部は、前記第１の共鳴状態検出部から出力される信号のレベルと、前記第２の共鳴状態検出部から出力される信号のレベルとの差分が、所定レベル未満である場合に、前記トラッキング制御外れ状態であることを検出することが好ましい。
【０２６５】
この構成によれば、共鳴素子は、第１の共鳴素子と、第１の共鳴素子とは異なる位置に配置された第２の共鳴素子とを含む。第１の共鳴状態検出部は、記録領域の記録状態に応じた、第１の共鳴素子の共鳴状態の変化を検出し、検出した共鳴状態の変化に応じた信号を出力する。第２の共鳴状態検出部は、記録領域の記録状態に応じた、第２の共鳴素子の共鳴状態の変化を検出し、検出した共鳴状態の変化に応じた信号を出力する。制御外れ検出部は、第１の共鳴状態検出部から出力される信号のレベルと、第２の共鳴状態検出部から出力される信号のレベルとの差分が、所定レベル未満である場合に、トラッキング制御外れ状態であることを検出する。
【０２６６】
したがって、第１の共鳴状態検出部から出力される信号のレベルと、第２の共鳴状態検出部から出力される信号のレベルとの差分が、所定レベル未満である場合に、トラッキング制御外れ状態であることが検出されるので、トラッキング制御外れ状態を確実に検出することができる。
【０２６７】
本発明の他の局面に係る制御外れ検出方法は、互いに孤立した記録領域が列状に配置されたトラックを有する情報記録媒体に情報を記録する光情報装置における制御外れ検出方法であって、前記記録領域に情報を記録するための記録部が所定のトラックを走査するように制御するトラッキング制御ステップと、前記記録領域の記録状態に応じて共鳴状態が変化する共鳴素子の共鳴状態の変化を検出し、検出した共鳴状態の変化に応じた信号を出力する共鳴状態検出ステップと、前記情報を記録する記録動作中に、前記共鳴状態検出ステップにおいて出力される信号に基づき、前記記録部が前記所定のトラックから外れるトラッキング制御外れ状態を検出する制御外れ検出ステップとを含む。
【０２６８】
この構成によれば、トラッキング制御ステップにおいて、記録領域に情報を記録するための記録部が所定のトラックを走査するように制御される。共鳴状態検出ステップにおいて、記録領域の記録状態に応じて共鳴状態が変化する共鳴素子の共鳴状態の変化が検出され、検出された共鳴状態の変化に応じた信号が出力される。制御外れ検出ステップにおいて、情報を記録する記録動作中に、共鳴状態検出ステップで出力される信号に基づき、記録部が所定のトラックから外れるトラッキング制御外れ状態が検出される。
【０２６９】
したがって、トラッキング制御外れ状態が検出されるので、既に記録された情報が誤って破壊されたり、記録されるマーク列が不連続になったりすることを防ぐことができ、その結果、光情報装置の記録信頼性を向上させることができる。
【０２７０】
なお、発明を実施するための形態の項においてなされた具体的な実施態様又は実施例は、あくまでも、本発明の技術内容を明らかにするものであって、そのような具体例にのみ限定して狭義に解釈されるべきものではなく、本発明の精神と特許請求事項との範囲内で、種々変更して実施することができるものである。
【産業上の利用可能性】
【０２７１】
本発明に係る光情報装置及び制御外れ検出方法は、既に記録された情報が誤って破壊されたり、記録されるマーク列が不連続になったりすることを防ぐことができ、メインビームとサブビームとを情報記録媒体の情報層上に収束させることにより情報を記録する光情報装置及び制御外れ検出方法に有用である。よって、光情報装置の応用機器である大容量の光ディスクレコーダ及びコンピュータ用メモリ装置などに利用することができる。
【図１】
2012164910.tif 000003
【図２】
2012164910.tif 000004
【図３】
2012164910.tif 000005
【図４】
2012164910.tif 000006
【図５】
2012164910.tif 000007
【図６】
2012164910.tif 000008
【図７】
2012164910.tif 000009
【図８】
2012164910.tif 000010
【図９】
2012164910.tif 000011
【図１０】
2012164910.tif 000012
【図１１】
2012164910.tif 000013
【図１２】
2012164910.tif 000014
【図１３】
2012164910.tif 000015
【図１４】
2012164910.tif 000016
【図１５】
2012164910.tif 000017
【図１６】
2012164910.tif 000018
【図１７】
2012164910.tif 000019
【図１８】
2012164910.tif 000020
【図１９】
2012164910.tif 000021
【図２０】
2012164910.tif 000022
【図２１】
2012164910.tif 000023
【図２２】
2012164910.tif 000024
【図２３】
2012164910.tif 000025
【図２４】
2012164910.tif 000026
【図２５】
2012164910.tif 000027
【図２６】
2012164910.tif 000028
【図２７】
2012164910.tif 000029
【手続補正書】
【提出日】平成24年10月31日(2012.10.31)
【手続補正１】
【補正対象書類名】特許請求の範囲
【補正対象項目名】全文
【補正方法】変更
【補正の内容】
【特許請求の範囲】
【請求項１】
メインビームとサブビームとを情報記録媒体の情報層上に収束させることにより情報を記録する光情報装置であって、
前記メインビームの収束点が所定の情報層上に収束するように制御するフォーカス制御部と、
前記メインビームの収束点が情報層上の所定のトラック又は所定のマーク列を走査するように制御するトラッキング制御部と、
前記情報層より反射された前記サブビームを受光し、受光量に応じた信号を出力するサブビーム受光部と、
前記情報を記録する記録動作中に、前記サブビーム受光部からの信号に基づき、前記メインビームの収束点が所定の情報層上から外れるフォーカス制御外れ状態、又は、前記メインビームの収束点が情報層上の所定のトラック又は所定のマーク列から外れるトラッキング制御外れ状態を検出する制御外れ検出部とを備え、
前記サブビームは、複数のサブビームを含み、
前記サブビーム受光部は、前記情報層より反射された前記複数のサブビームをそれぞれ受光する複数のサブビーム受光部を含み、
前記制御外れ検出部は、前記複数のサブビーム受光部から出力される複数の信号のレベルの和が、情報が記録されている記録済み領域からの反射光レベル又は情報が記録されていない未記録領域からの反射光レベルである場合に、前記フォーカス制御外れ状態又は前記トラッキング制御外れ状態であることを検出することを特徴とする光情報装置。
【請求項２】
（削除）
【請求項３】
（削除）
【請求項４】
前記複数のサブビームは、前記メインビームがトラックの中心に収束している場合に、情報が記録されている記録済み領域側に収束する第１のサブビームと、前記メインビームがトラックの中心に収束している場合に、情報が記録されていない未記録領域側に収束する第２のサブビームとを含むことを特徴とする請求項１記載の光情報装置。
【請求項５】
（削除）
【請求項６】
（削除）
【請求項７】
（削除）
【請求項８】
（削除）
【請求項９】
（削除）
【請求項１０】
（削除）
【請求項１１】
（削除）
【請求項１２】
メインビームとサブビームとを情報記録媒体の情報層上に収束させることにより情報を記録する光情報装置における制御外れ検出方法であって、
前記メインビームの収束点が所定の情報層上に収束するように制御するフォーカス制御ステップと、
前記メインビームの収束点が情報層上の所定のトラック又は所定のマーク列を走査するように制御するトラッキング制御ステップと、
前記情報層より反射された前記サブビームを受光し、受光量に応じた信号を出力するサブビーム受光ステップと、
前記情報を記録する記録動作中に、前記サブビーム受光ステップにおいて出力される信号に基づき、前記メインビームの収束点が所定の情報層上から外れるフォーカス制御外れ状態、又は、前記メインビームの収束点が情報層上の所定のトラック又は所定のマーク列から外れるトラッキング制御外れ状態を検出する制御外れ検出ステップとを含み、
前記サブビームは、複数のサブビームを含み、
前記サブビーム受光ステップは、前記情報層より反射された前記複数のサブビームを複数のサブビーム受光部でそれぞれ受光し、
前記制御外れ検出ステップは、前記複数のサブビーム受光部から出力される複数の信号のレベルの和が、情報が記録されている記録済み領域からの反射光レベル又は情報が記録されていない未記録領域からの反射光レベルである場合に、前記フォーカス制御外れ状態又は前記トラッキング制御外れ状態であることを検出することを特徴とする制御外れ検出方法。
【請求項１３】
互いに孤立した記録領域が列状に配置されたトラックを有する情報記録媒体に情報を記録する光情報装置であって、
前記記録領域に情報を記録するための記録部と、
前記記録領域の記録状態に応じて共鳴状態が変化する共鳴素子と、
前記記録部が所定のトラックを走査するように制御するトラッキング制御部と、
前記記録領域の記録状態に応じた、前記共鳴素子の共鳴状態の変化を検出し、検出した共鳴状態の変化に応じた信号を出力する共鳴状態検出部と、
前記情報を記録する記録動作中に、前記共鳴状態検出部からの信号に基づき、前記記録部が前記所定のトラックから外れるトラッキング制御外れ状態を検出する制御外れ検出部とを備えることを特徴とする光情報装置。
【請求項１４】
前記共鳴素子は、第１の共鳴素子と、前記第１の共鳴素子とは異なる位置に配置された第２の共鳴素子とを含み、
前記共鳴状態検出部は、前記記録領域の記録状態に応じた、前記第１の共鳴素子の共鳴状態の変化を検出し、検出した共鳴状態の変化に応じた信号を出力する第１の共鳴状態検出部と、前記記録領域の記録状態に応じた、前記第２の共鳴素子の共鳴状態の変化を検出し、検出した共鳴状態の変化に応じた信号を出力する第２の共鳴状態検出部とを含み、
前記制御外れ検出部は、前記第１の共鳴状態検出部から出力される信号のレベルと、前記第２の共鳴状態検出部から出力される信号のレベルとの差分が、所定レベル未満である場合に、前記トラッキング制御外れ状態であることを検出することを特徴とする請求項１３記載の光情報装置。
【請求項１５】
互いに孤立した記録領域が列状に配置されたトラックを有する情報記録媒体に情報を記録する光情報装置における制御外れ検出方法であって、
前記記録領域に情報を記録するための記録部が所定のトラックを走査するように制御するトラッキング制御ステップと、
前記記録領域の記録状態に応じて共鳴状態が変化する共鳴素子の共鳴状態の変化を検出し、検出した共鳴状態の変化に応じた信号を出力する共鳴状態検出ステップと、
前記情報を記録する記録動作中に、前記共鳴状態検出ステップにおいて出力される信号に基づき、前記記録部が前記所定のトラックから外れるトラッキング制御外れ状態を検出する制御外れ検出ステップとを含むことを特徴とする制御外れ検出方法。
【国際調査報告】
2012164910.tif 000030
2012164910.tif 000031